(57)【要約】【課題】ＨＤＲ画像に相当する特性の字幕データ出力を実現する。【解決手段】再生対象データに含まれる字幕データの再生制御情報をデコードするデコード部を有し、デコード部は、字幕データ再生制御情報に記録された色空間指定情報と、ＥＯＴＦ（電光変換関数）指定情報と、色深度指定情報を取得し、取得情報に従って、出力用字幕データを生成する。デコード部は、字幕データ再生制御情報に記録された情報が、ＨＤＲ画像に適用される色空間、ＥＯＴＦ、色深度等である場合、字幕データ再生制御情報に従って取得される字幕データをＨＤＲ画像相当の色空間に従って生成された字幕データであると判断し、ＨＤＲ字幕データの出力処理を実行する。【選択図】図２０
2017169075.tif 000002
【特許請求の範囲】
【請求項１】
データ再生処理を実行するデータ処理部を有し、
前記データ処理部は、
再生対象データに含まれる字幕データの再生制御情報をデコードするデコード部を有し、
前記デコード部は、
字幕データ再生制御情報に記録された色空間指定情報と、ＥＯＴＦ（電光変換関数）指定情報と、色深度指定情報を取得し、
取得情報に従って、出力用字幕データを生成する情報処理装置。
【請求項２】
前記デコード部は、
字幕データ再生制御情報に記録された色空間指定情報が、
ＨＤＲ（Ｈｉｇｈ  Ｄｙｎａｍｉｃ  Ｒａｎｇｅ）画像に適用される色空間指定情報である場合、
前記字幕データ再生制御情報に従って取得される字幕データをＨＤＲ画像相当の色空間に従って生成された字幕データであると判断し、ＨＤＲ字幕データの出力処理を実行する請求項１に記載の情報処理装置。
【請求項３】
前記デコード部は、
字幕データ再生制御情報に記録された色空間指定情報が、
ＨＤＲ（Ｈｉｇｈ  Ｄｙｎａｍｉｃ  Ｒａｎｇｅ）画像に適用される色空間指定情報であるＢＴ．２０２０色空間である場合、
前記字幕データ再生制御情報に従って取得される字幕データをＨＤＲ画像相当の色空間であるＢＴ．２０２０色空間に従って生成された字幕データであると判断し、ＨＤＲ字幕データの出力処理を実行する請求項１に記載の情報処理装置。
【請求項４】
前記デコード部は、
字幕データ再生制御情報に記録されたＥＯＴＦ（電光変換関数）指定情報が、
ＨＤＲ画像に適用されるＥＯＴＦ（電光変換関数）指定情報である場合、
前記字幕データ再生制御情報に従って取得される字幕データに対して、ＨＤＲ用のＥＯＴＦ（電光変換関数）を適用して出力字幕データを生成する請求項１に記載の情報処理装置。
【請求項５】
前記デコード部は、
字幕データ再生制御情報に記録されたＥＯＴＦ（電光変換関数）指定情報が、
ＨＤＲ画像に適用されるＥＯＴＦ（電光変換関数）指定情報であるＳＭＰＴＥ  ＳＴ  ２０８４である場合、
前記字幕データ再生制御情報に従って取得される字幕データに対して、ＨＤＲ用のＥＯＴＦ（電光変換関数）であるＳＭＰＴＥ  ＳＴ  ２０８４を適用して出力字幕データを生成する請求項１に記載の情報処理装置。
【請求項６】
前記デコード部は、
字幕データ再生制御情報に記録された色深度指定情報が、
ＨＤＲ画像に適用される色深度指定情報である場合、
前記字幕データ再生制御情報に従って取得される字幕データに対応して記録されたビット値を、ＨＤＲ画像相当のビット値であると判断し、ＨＤＲ字幕データの出力処理を実行する請求項１に記載の情報処理装置。
【請求項７】
前記デコード部は、
字幕データ再生制御情報に記録された色深度指定情報が、
ＨＤＲ画像に適用される色深度指定情報である１０ビットまたは１２ビットを示す情報である場合、
前記字幕データ再生制御情報に従って取得される字幕データに対応して記録されたビット値を、１０ビットまたは１２ビット表現のＨＤＲ画像相当のビット値であると判断し、ＨＤＲ字幕データの出力処理を実行する請求項１に記載の情報処理装置。
【請求項８】
データ再生処理を実行するデータ処理部を有し、
前記データ処理部は、
再生対象データに含まれる字幕データの再生制御情報をデコードするデコード部を有し、
前記デコード部は、
字幕データ再生制御情報に字幕データが、超高精細画像相当のＵＨＤ（Ｕｌｔｒａ  Ｈｉｇｈ  Ｄｅｆｉｎｉｔｉｏｎ）字幕データであることを示すＵＨＤ定義情報の記述があるか否かを判定し、
ＵＨＤ定義情報の記述がある場合、
前記字幕データ再生制御情報に従って取得される字幕データがＨＤＲ画像相当の字幕データであると判定し、ＨＤＲ字幕データの出力処理を実行する情報処理装置。
【請求項９】
前記デコード部は、
前記ＵＨＤ定義情報として記録されたＨＤＲ（Ｈｉｇｈ  Ｄｙｎａｍｉｃ  Ｒａｎｇｅ）タイプ情報を取得し、
ＨＤＲタイプに応じて予め規定された色空間、電光変換関数（ＥＯＴＦ）、色深度二従った出力字幕データ生成処理を実行する請求項８に記載の情報処理装置。
【請求項１０】
字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理装置。
【請求項１１】
前記データ処理部は、
字幕データの色空間と、字幕データ出力に適用するＥＯＴＦ（電光変換関数）と、字幕データのビット値表現態様を示す色深度が、
ＨＤＲ（Ｈｉｇｈ  Ｄｙｎａｍｉｃ  Ｒａｎｇｅ）画像対応の情報であるか、
ＳＤＲ（Ｓｔａｎｄａｒｄ  Ｄｙｎａｍｉｃ  Ｒａｎｇｅ）画像対応の情報であるか、
いずれの画像対応の情報であるかを区別可能とした情報を記録した字幕データを生成する請求項１０に記載の情報処理装置。
【請求項１２】
画像データと、
字幕再生制御情報を含む字幕データを記録した情報記録媒体であり、
前記字幕再生制御情報は、
字幕データの属性情報として、字幕データの色空間と、字幕データ出力に適用するＥＯＴＦ（電光変換関数）と、字幕データのビット値表現態様を示す色深度を判別可能とした情報を含み、
情報記録媒体からのデータ再生を実行する再生装置が、字幕データ再生制御情報として記録された色空間指定情報と、ＥＯＴＦ（電光変換関数）指定情報と、色深度指定情報を取得し、取得情報に従って、出力用字幕データを生成することを可能とした情報記録媒体。
【請求項１３】
前記字幕再生制御情報は、
字幕データの色空間と、字幕データ出力に適用するＥＯＴＦ（電光変換関数）と、字幕データのビット値表現態様を示す色深度が、
ＨＤＲ（Ｈｉｇｈ  Ｄｙｎａｍｉｃ  Ｒａｎｇｅ）画像対応の情報であるか、
ＳＤＲ（Ｓｔａｎｄａｒｄ  Ｄｙｎａｍｉｃ  Ｒａｎｇｅ）画像対応の情報であるか、
いずれの画像対応の情報であるかを区別可能とした情報である請求項１２に記載の情報記録媒体。
【請求項１４】
情報処理装置において実行する情報処理方法であり、
前記情報処理装置は、データ再生処理を実行するデータ処理部を有し、
前記データ処理部は、
再生対象データに含まれる字幕データの再生制御情報をデコードし、
字幕データ再生制御情報に記録された色空間指定情報と、ＥＯＴＦ（電光変換関数）指定情報と、色深度指定情報を取得し、
取得情報に従って、出力用字幕データを生成する情報処理方法。
【請求項１５】
情報処理装置において実行する情報処理方法であり、
前記情報処理装置は、字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理方法。
【請求項１６】
情報処理装置において情報処理を実行させるプログラムであり、
前記情報処理装置は、データ再生処理を実行するデータ処理部を有し、
前記プログラムは、前記データ処理部に、
再生対象データに含まれる字幕データの再生制御情報をデコードする処理と、
字幕データ再生制御情報に記録された色空間指定情報と、ＥＯＴＦ（電光変換関数）指定情報と、色深度指定情報を取得する処理と、
取得情報に従って、出力用字幕データを生成する処理を実行させるプログラム。
【請求項１７】
情報処理装置において情報処理を実行させるプログラムであり、
前記情報処理装置は、字幕再生制御情報を含む字幕データ生成処理を実行するデータ処理部を有し、
前記プログラムは、前記データ処理部に、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成させるプログラム。
【発明の詳細な説明】
【技術分野】
【０００１】
本開示は、情報処理装置、情報記録媒体、および情報処理方法、並びにプログラムに関する。さらに詳細には、従来のＳＤＲ（Ｓｔａｎｄａｒｄ  Ｄｙｎａｍｉｃ  Ｒａｎｇｅ）画像より出力可能な色や輝度範囲が拡大されたＨＤＲ（Ｈｉｇｈ  Ｄｙｎａｍｉｃ  Ｒａｎｇｅ）画像の出力に併せて、違和感のない字幕データを出力可能とする情報処理装置、情報記録媒体、および情報処理方法、並びにプログラムに関する。
【背景技術】
【０００２】
映画や音楽等、様々なコンテンツを記録する情報記録媒体（メディア）として、ＤＶＤ(Digital Versatile Disc)や、ＢＤ（Ｂｌｕ−ｒａｙ（登録商標）  Ｄｉｓｃ）が多く利用されている。
【０００３】
映画などのコンテンツを予め記録したメディアであるＢＤ−ＲＯＭには、例えば高画質画像であるＨＤ（Ｈｉｇｈ  Ｄｅｆｉｎｉｔｉｏｎ）画像に併せて音声、字幕等のデータが記録される。
現行のＢＤ−ＲＯＭは、主にＨＤ画像、いわゆるハイビジョン対応の２Ｋ画像が記録されているものが多いが、今後、高画質化が進み、超高精細画像（ＵＨＤ：Ｕｌｔｒａ  Ｈｉｇｈ  Ｄｅｆｉｎｉｔｉｏｎ画像）を記録したメディアが増加することが予想される。
【０００４】
なお、超高精細画像（ＵＨＤ画像）は、例えば、４Ｋや８Ｋ等の高解像度画像が代表的な例であるが、これらの高解像度画像に限らず、出力輝度レベルが拡張された広ダイナミックレンジ画像や、出力色空間の広い画像等もＵＨＤ画像と呼ばれる。
今後は、このＵＨＤ画像を記録したメディアが増加することが予想される。
なお、ＢＤを利用したデータ記録再生処理や、４Ｋ画像については、例えば特許文献１（特開２０１１−０２３０７１号公報）等に記載がある。
【０００５】
超高精細画像（ＵＨＤ画像）には、例えば、出力可能な色や輝度範囲を拡大したＨＤＲ（Ｈｉｇｈ  Ｄｙｎａｍｉｃ  Ｒａｎｇｅ）画像が多く利用されることが推定される。
なお、ＨＤＲ画像より出力可能な色や輝度範囲が狭い従来の画像は、ＳＤＲ（Ｓｔａｎｄａｒｄ  Ｄｙｎａｍｉｃ  Ｒａｎｇｅ）画像と呼ばれる。
【０００６】
ＨＤＲ画像は、従来型のＳＤＲ画像に比較して、出力可能な色や、出力可能な輝度範囲が拡張されており、人間の眼で見た実際の情景と同様の、より自然な画像の出力が可能となっている。
例えば、ＳＤＲ画像の出力可能な色範囲は、色空間規定：ＢＴ．１８８６、あるいはＢＴ．７０９色空間の範囲内のｓＲＧＢ色空間の色である。一方、ＨＤＲ画像は、ＢＴ．１８８６やＢＴ．７０９より広いＢＴ．２０２０色空間の色を出力可能な設定である。
【０００７】
一方、例えば映画等のコンテンツに重畳表示される字幕データとして、ＴＴＭＬ（Ｔｉｍｅｄ  Ｔｅｘｔ  Ｍａｒｋｕｐ  Ｌａｎｇｕａｇｅ）字幕データがある。
ＴＴＭＬ字幕データは、ＷＷＷ（Ｗｏｒｌｄ  Ｗｉｄｅ  Ｗｅｂ）利用技術の国際的標準化団体であるＷ３Ｃ（Ｗｏｒｌｄ  Ｗｉｄｅ  Ｗｅｂ  Ｃｏｎｓｏｒｔｉｕｍ）が規定した字幕データ形式であり、表示する字幕データとともに字幕の表示タイミングを示す情報を記述可能な構成を持つＸＭＬ（Ｅｘｔｅｎｓｉｂｌｅ  Ｍａｒｋｕｐ  Ｌａｎｇｕａｇｅ）形式の字幕データである。
なお、ＴＴＭＬについては、例えば特許文献２（特開２０１２−１６９８８５号公報）に記載がある。
【０００８】
しかし、このＴＴＭＬ字幕データは、ｓＲＧＢ色空間で８ビット表現データのデータとして規定されている。すなわち上述したＳＤＲ画像と同じ色空間での出力データとなる。
従って、例えばＨＤＲ映画コンテンツに、ＴＴＭＬジマクデータを重畳して表示するとＨＤＲ画像上にＳＤＲ字幕データが表示されることになり、視聴者が、画像と字幕の色や輝度の差異を感じ、視聴者に違和感を発生させてしまうという問題がある。
【先行技術文献】
【特許文献】
【０００９】
【特許文献１】特開２０１１−０２３０７１号公報
【特許文献２】特開２０１２−１６９８８５号公報
【発明の概要】
【発明が解決しようとする課題】
【００１０】
本開示は、例えば、上述の問題点に鑑みてなされたものであり、映画等の第１コンテンツであるＨＤＲ（Ｈｉｇｈ  Ｄｙｎａｍｉｃ  Ｒａｎｇｅ）画像に、ＨＤＲコンテンツと異なる字幕等の第２コンテンツを重畳して表示する場合に、色合い等に大きな差分を発生させず、違和感の少ないコンテンツ出力を実現する情報処理装置、情報記録媒体、および情報処理方法、並びにプログラムを提供することを目的とする。
【課題を解決するための手段】
【００１１】
本開示の第１の側面は、
データ再生処理を実行するデータ処理部を有し、
前記データ処理部は、
再生対象データに含まれる字幕データの再生制御情報をデコードするデコード部を有し、
前記デコード部は、
字幕データ再生制御情報に記録された色空間指定情報と、ＥＯＴＦ（電光変換関数）指定情報と、色深度指定情報を取得し、
取得情報に従って、出力用字幕データを生成する情報処理装置にある。
【００１２】
さらに、本開示の第２の側面は、
データ再生処理を実行するデータ処理部を有し、
前記データ処理部は、
再生対象データに含まれる字幕データの再生制御情報をデコードするデコード部を有し、
前記デコード部は、
字幕データ再生制御情報に字幕データが、超高精細画像相当のＵＨＤ（Ｕｌｔｒａ  Ｈｉｇｈ  Ｄｅｆｉｎｉｔｉｏｎ）字幕データであることを示すＵＨＤ定義情報の記述があるか否かを判定し、
ＵＨＤ定義情報の記述がある場合、
前記字幕データ再生制御情報に従って取得される字幕データがＨＤＲ画像相当の字幕データであると判定し、ＨＤＲ字幕データの出力処理を実行する情報処理装置にある。
【００１３】
さらに、本開示の３の側面は、
字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理装置にある。
【００１４】
さらに、本開示の４の側面は、
画像データと、
字幕再生制御情報を含む字幕データを記録した情報記録媒体であり、
前記字幕再生制御情報は、
字幕データの属性情報として、字幕データの色空間と、字幕データ出力に適用するＥＯＴＦ（電光変換関数）と、字幕データのビット値表現態様を示す色深度を判別可能とした情報を含み、
情報記録媒体からのデータ再生を実行する再生装置が、字幕データ再生制御情報として記録された色空間指定情報と、ＥＯＴＦ（電光変換関数）指定情報と、色深度指定情報を取得し、取得情報に従って、出力用字幕データを生成することを可能とした情報記録媒体にある。
【００１５】
さらに、本開示の第５の側面は、
情報処理装置において実行する情報処理方法であり、
前記情報処理装置は、データ再生処理を実行するデータ処理部を有し、
前記データ処理部は、
再生対象データに含まれる字幕データの再生制御情報をデコードし、
字幕データ再生制御情報に記録された色空間指定情報と、ＥＯＴＦ（電光変換関数）指定情報と、色深度指定情報を取得し、
取得情報に従って、出力用字幕データを生成する情報処理方法にある。
【００１６】
さらに、本開示の第６の側面は、
情報処理装置において実行する情報処理方法であり、
前記情報処理装置は、字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理方法にある。
【００１７】
さらに、本開示の第７の側面は、
情報処理装置において情報処理を実行させるプログラムであり、
前記情報処理装置は、データ再生処理を実行するデータ処理部を有し、
前記プログラムは、前記データ処理部に、
再生対象データに含まれる字幕データの再生制御情報をデコードする処理と、
字幕データ再生制御情報に記録された色空間指定情報と、ＥＯＴＦ（電光変換関数）指定情報と、色深度指定情報を取得する処理と、
取得情報に従って、出力用字幕データを生成する処理を実行させるプログラムにある。
【００１８】
さらに、本開示の第８の側面は、
情報処理装置において情報処理を実行させるプログラムであり、
前記情報処理装置は、字幕再生制御情報を含む字幕データ生成処理を実行するデータ処理部を有し、
前記プログラムは、前記データ処理部に、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成させるプログラムにある。
【００１９】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００２０】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２１】
本開示の一実施例の構成によれば、ＨＤＲ画像に相当する特性の字幕データ出力が実現される。
具体的には、再生対象データに含まれる字幕データの再生制御情報をデコードするデコード部を有し、デコード部は、字幕データ再生制御情報に記録された色空間指定情報と、ＥＯＴＦ（電光変換関数）指定情報と、色深度指定情報を取得し、取得情報に従って、出力用字幕データを生成する。デコード部は、字幕データ再生制御情報に記録された情報が、ＨＤＲ画像に適用される色空間、ＥＯＴＦ、色深度等である場合、字幕データ再生制御情報に従って取得される字幕データをＨＤＲ画像相当の色空間に従って生成された字幕データであると判断し、ＨＤＲ字幕データの出力処理を実行する。
本構成により、ＨＤＲ画像に相当する特性の字幕データ出力が実現される。
なお、本明細書に記載された効果はあくまで例示であって限定されるものではなく、また付加的な効果があってもよい。
【図面の簡単な説明】
【００２２】
【図１】ＨＤＲ画像とＳＤＲ画像の入出力（信号値−輝度）の対応関係について説明する図である。
【図２】ＨＤＲ画像の画像生成、記録処理について説明する図である。
【図３】色空間について説明する図である。
【図４】ＨＤＲ画像の画像再生処理について説明する図である。
【図５】ＳＤＲ画像の画像生成、記録処理について説明する図である。
【図６】ＳＤＲ画像の画像再生処理について説明する図である。
【図７】画像データと字幕データの再生処理例について説明する図である。
【図８】字幕データの再生処理例について説明する図である。
【図９】ＳＭＰＴＥ−ＴＴ字幕データの例について説明する図である。
【図１０】ＳＭＰＴＥ−ＴＴ字幕データの例について説明する図である。
【図１１】画像データと字幕データの重畳表示処理例について説明する図である。
【図１２】情報処理装置を適用した処理例について説明する図である。
【図１３】情報処理装置の構成と処理について説明する図である。
【図１４】字幕データに記録する情報の例について説明する図である。
【図１５】字幕データ表示に適用するＸＭＬデータの例について説明する図である。
【図１６】字幕データに記録する情報と、字幕データ表示に適用するＸＭＬデータの例について説明する図である。
【図１７】字幕データに記録する情報の例について説明する図である。
【図１８】字幕データに記録する情報と、字幕データ表示に適用するＸＭＬデータの例について説明する図である。
【図１９】字幕データに記録する情報と、字幕データ表示に適用するＸＭＬデータの例について説明する図である。
【図２０】情報処理装置の構成と処理について説明する図である。
【図２１】情報処理装置の実行する処理について説明するフローチャートを示す図である。
【図２２】情報処理装置の構成と処理について説明する図である。
【図２３】情報処理装置の実行する処理について説明するフローチャートを示す図である。
【図２４】情報処理装置のハードウェア構成例について説明する図である。
【発明を実施するための形態】
【００２３】
以下、図面を参照しながら本開示の情報処理装置、情報記録媒体、および情報処理方法、並びにプログラムの詳細について説明する。なお、説明は以下の項目に従って行なう。
１．ＨＤＲ画像とＳＤＲ画像について
２．ＨＤＲ画像、ＳＤＲ画像、各画像コンテンツの生成と、再生処理例について
３．ＴＴＭＬ字幕データについて
４．ＨＤＲ画像データとＳＤＲ字幕データの重畳表示処理を行なう場合の問題点について
５．ＨＤＲ画像と輝度や色合いの一致する字幕データを重畳表示する構成について
５−１．（字幕データ構成例１）色空間指定情報、ＥＯＴＦ指定情報、および可変型の色深度指定情報を制御情報として記録した字幕データ構成例について
５−２．（字幕データ構成例２）色空間指定情報、ＥＯＴＦ指定情報、および固定型の色深度指定情報を制御情報として記録した字幕データ構成例について
５−３．（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例について
６．コンテンツ生成処理と、データ記録処理を実行する情報処理装置の構成と処理について
７．情報記録媒体からのデータ再生処理を実行する情報処理装置の構成と処理について
８．情報処理装置の構成例について
９．本開示の構成のまとめ
【００２４】
［１．ＨＤＲ画像とＳＤＲ画像について］
まず、出力可能な色や輝度範囲が拡大された広ダイナミックレンジ（ＨＤＲ：Ｈｉｇｈ  Ｄｙｎａｍｉｃ  Ｒａｎｇｅ）画像と、従来型のＳＤＲ（Ｓｔａｎｄａｒｄ  Ｄｙｎａｍｉｃ  Ｒａｎｇｅ）画像について、説明する。
【００２５】
放送局やサーバの提供するコンテンツ、あるいは情報記録媒体（メディア）に格納されるコンテンツを構成する画像データは、時代とともにより高品質な画像に変化してきている。具体的には、これまでの２Ｋ画像から、４Ｋ画像や８Ｋ画像と呼ばれる高解像度画像に推移しつつある。
【００２６】
さらに、これまでのＳＤＲ（Ｓｔａｎｄａｒｄ  Ｄｙｎａｍｉｃ  Ｒａｎｇｅ）画像に比較して低輝度から高輝度まで広い輝度範囲の画像を忠実に再現可能とした広ダイナミックレンジ（ＨＤＲ：Ｈｉｇｈ  Ｄｙｎａｍｉｃ  Ｒａｎｇｅ）画像の利用が普及しつつある。
【００２７】
ＨＤＲ画像は、ＳＤＲ画像より表現可能な色やダイナミックレンジが広く、可視範囲のすべての輝度を表現可能な画像であり、人間の視覚特性とほぼ同等のダイナミックレンジと色域をサポートすることができる。
【００２８】
例えば、ＢＤ（Ｂｌｕ−ｒａｙ（登録商標）  Ｄｉｓｃ）等の情報記録媒体に格納される画像も、従来型のＳＤＲ（Ｓｔａｎｄａｒｄ  Ｄｙｎａｍｉｃ  Ｒａｎｇｅ）画像から、ＨＤＲ（Ｈｉｇｈ  Ｄｙｎａｍｉｃ  Ｒａｎｇｅ）画像に、順次、移行する傾向にある。
【００２９】
以下、従来型のＳＤＲ（Ｓｔａｎｄａｒｄ  Ｄｙｎａｍｉｃ  Ｒａｎｇｅ）画像と、ＳＤＲ画像より、出力可能な色や輝度範囲を拡大したＨＤＲ（Ｈｉｇｈ  Ｄｙｎａｍｉｃ  Ｒａｎｇｅ）画像について説明する。
【００３０】
図１は、ＨＤＲ画像とＳＤＲ画像の信号値と、表示輝度との対応関係を示すグラフである。以下の各図を示している。
（Ａ）ＨＤＲ画像の入力信号値と出力輝度値との対応関係グラフ
（Ｂ）ＨＤＲ画像の入力信号値と出力輝度値との対応関係グラフ
【００３１】
（Ａ），（Ｂ）とも横軸は、入力信号値である。具体的には、例えばＲ，Ｇ，Ｂの各信号値（例えば８〜１２ビット信号値）に相当する。
縦軸は、表示部に出力される輝度値を示している。
【００３２】
（Ｂ）のＳＤＲ画像では、入力信号値（０〜約１０００）に対して、輝度値：０〜１００（ｃｄ／平方ｍ）の出力が得られる。
一方、（Ａ）のＨＤＲ画像では、入力信号値（０〜約１０００）に対して、輝度値：０〜１０００（ｃｄ／平方ｍ）の出力が得られる。
このように、ＨＤＲ画像では、ＳＤＲ画像に比較して、約１０倍の輝度範囲の画像出力が可能となる。
これは、ＨＤＲ画像が、より暗いところから明るいところまで、実際に近い画像として忠実に出力可能であることを示している。
なお、ＨＤＲ画像を出力するためには、ＨＤＲ画像出力可能なＨＤＲ対応の表示装置を用いることが必要である。
【００３３】
図１（Ａ）に示すＨＤＲ画像の入力信号値と出力輝度値との対応関係グラフに示す曲線は、ＳＭＰＴＥ  ＳＴ  ２０８４曲線と呼ばれる。この曲線は、ＨＤＲ画像の１つの代表的な特性曲線であり、ＳＭＰＴＥ（米国映画テレビ技術者協会）の規格として規定された曲線である。
なお、ＳＭＰＴＥ  ＳＴ  ２０８４曲線は、ＰＱ（Ｐｅｒｃｅｐｔｕａｌ  Ｑｕａｎｔｉｚａｔｉｏｎ）曲線とも呼ばれる。
【００３４】
ＰＱ曲線（＝ＳＭＰＴＥ  ＳＴ  ２０８４曲線）は、ＨＤＲ画像を構成する輝度範囲：０〜１００００ｃｄ／平方ｍのダイナミックレンジに対応する符号化データの生成に用いられる。具体的には、ＨＤＲ画像を構成する輝度範囲のダイナミックレンジを、人間の眼に合わせた量子化ステップのカーブとして定義されるＰＱ曲線（＝ＳＭＰＴＥ  ＳＴ  ２０８４曲線）に従って変換することで所定ビット（例えば１０〜１２ビット）の階調に収めた画像信号を生成することができる。
【００３５】
一方、図１（Ｂ）に示すＳＤＲ画像の入力信号値と出力輝度値との対応関係グラフに示す曲線は、ガンマ２．４曲線と呼ばれる。
ディスプレイ等の画像出力機器において、一般的に「入力値：Ｖｉｎ」と「出力値：Ｖｏｕｔ」は直線関係になく、「入力値：Ｖｉｎ」と「出力値：Ｖｏｕｔ」との関係は、以下のような「べき乗関数」で表される。
Ｖｏｕｔ＝Ｖｉｎγ
このべき乗の指数値γがガンマ値に相当する。
ガンマ２．４曲線は、上記の指数値γ＝２．４とした曲線であり、ＳＤＲ画像を構成する輝度範囲：０〜１２０ｃｄ／平方ｍのダイナミックレンジに対応する符号化データの生成に用いられる。具体的には、ＳＤＲ画像を構成する輝度範囲のダイナミックレンジを、人間の眼に合わせた量子化ステップのカーブとして定義されるガンマ２．４曲線に従って変換することで所定ビット（例えば８〜１０ビット）の階調に収めた画像信号を生成することができる。
【００３６】
［２．ＨＤＲ画像、ＳＤＲ画像、各画像コンテンツの生成と、再生処理例について］
次に、ＨＤＲ画像、ＳＤＲ画像、各画像コンテンツの生成と、再生処理例について説明する。
まず、ＨＤＲ画像を含むＨＤＲコンテンツの生成と、再生処理例について図２以下を参照して説明する。
図２には、ＨＤＲコンテンツの生成処理と記録処理を実行する情報処理装置１００の構成例を示している。
【００３７】
撮影部１０１は、例えば４Ｋカメラを装備して、ＩＴＵ−Ｒ勧告  ＢＴ．２０２０に基づく広色域表色系のカラー画像を記録する。なお、ＩＴＵ−Ｒ勧告は、ＩＴＵ（国際電気通信連合）において規定された標準である。
【００３８】
ＩＴＵ−Ｒ勧告  ＢＴ．２０２０に基づく広色域表色系について、図３を参照して説明する。
図３は、例えば、ＢＤ（Ｂｌｕ−ｒａｙ（登録商標）  Ｄｉｓｃ）に格納された画像コンテンツをテレビ等の表示部に表示する場合に、表示部に出力される色域を解説する図であり、ＤＣＩ規格色空間内に規定される複数の表色系を示している。
ＩＴＵ−Ｒ  ＢＴ．７０９表色系、ＩＴＵ−Ｒ  ＢＴ．１８８６表色系、さらに、より広い広範囲な色表現を可能としたＩＴＵ−Ｒ  ＢＴ．２０２０表色系を示している。
【００３９】
ＳＤＲ画像の出力可能な色は、図３に示すＩＴＵ−Ｒ  ＢＴ．７０９、あるいはＩＴＵ−Ｒ  ＢＴ．１８８６によって規定された空間内の色である。
ＳＤＲ画像は、例えばＩＴＵ−Ｒ  ＢＴ．７０９、あるいはＩＴＵ−Ｒ  ＢＴ．１８８６準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を非線形変換した８〜１０ビットの信号値によって出力される。
【００４０】
一方、ＨＤＲ画像の出力可能な色は、図３に示すＩＴＵ−Ｒ  ＢＴ．２０２０によって規定された空間内の色である。
図３に示すＩＴＵ−Ｒ  ＢＴ．７０９、あるいはＩＴＵ−Ｒ  ＢＴ．１８８６によって規定された空間より外側の色も出力可能である。
ＨＤＲ画像は、例えばＩＴＵ−Ｒ  ＢＴ．２０２０準拠の光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を非線形変換した１０〜１２ビットの信号値によって出力される。
すなわち、ＨＤＲ画像は、ＳＤＲ画像では表現できない色の出力が可能であり、より広い色調を表現することができる。
【００４１】
図２に戻り、ＨＤＲコンテンツの生成処理と記録処理を実行する情報処理装置１００の構成と処理について説明する。
撮影部１０１は、上述したように、例えば４Ｋカメラを装備して、ＩＴＵ−Ｒ勧告  ＢＴ．２０２０に基づく広色域表色系のカラー画像を記録する。
次いで、グレーディング・マスタリング部１０２では、撮影したコンテンツに対してグレーディング、またはマスタリング処理を行ない、例えば変換テーブル１３１を用いて符号値と輝度を線形変換して、ＨＤＲのマスター・コンテンツを生成する。さらに、このＨＤＲマスター・コンテンツに対応するメタデータ、例えばダイナミックレンジ等の輝度情報や、色情報等からなるメタデータが生成される。
【００４２】
次いで、光電変換部１０３は、参照番号１３２で示すような光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を例えば１０〜１２ビットの符号値に非線形変換して、ＨＤＲマスター・コンテンツの光線形の輝度信号を表示部駆動信号に変換する。
【００４３】
この光電変換関数（ＯＥＴＦ）として、先に図１（Ａ）を参照して説明したＳＭＰＴＥ  ＳＴ  ２０８４曲線が利用される。先に説明したように、ＳＭＰＴＥ  ＳＴ  ２０８４曲線は、ＰＱ（Ｐｅｒｃｅｐｔｕａｌ  Ｑｕａｎｔｉｚａｔｉｏｎ）曲線とも呼ばれ、ＨＤＲ画像を構成する輝度範囲：０〜１００００ｃｄ／平方ｍのダイナミックレンジに対応する符号化データの生成に用いられる。
ＨＤＲ画像を構成する輝度範囲のダイナミックレンジを、人間の眼に合わせた量子化ステップのカーブとして定義されるＰＱ曲線（＝ＳＭＰＴＥ  ＳＴ  ２０８４曲線）に従って変換することで所定ビット（例えば１０〜１２ビット）の階調に収めた画像信号を生成するために適用される曲線である。
【００４４】
符号化部１０４は、ＨＤＲマスター・コンテンツ並びにそのメタデータを符号化して、所定のデータフォーマットに従った符号化データを生成する。生成された符号化データは、記録部１０５を介して記録メディア１２０に記録される。
【００４５】
図４は、記録メディア１２０に記録された所定のデータフォーマットに従って記録されたＨＤＲ画像データを読み出して再生する画像再生装置としての情報処理装置１５０の構成例を示す図である。
【００４６】
復号部１５１は、記録メディア１２０から読み出した符号化ストリームを、表示装置に対して出力可能な信号（表示部駆動信号）に復号する処理を実行するとともに、メタデータを抽出する。
【００４７】
次いで、電光線形変換部１５２は、電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）１７１を用いて、復号した例えば１０ビットの符号値からなる表示部駆動信号を光線形の輝度信号に変換する。例えば、ＥＯＴＦ変換した後の光線形の輝度信号に対して、メタデータに記述された輝度情報に基づくダイナミックレンジ変換処理が行なわれる。
【００４８】
この符号値から輝度信号への変換処理には、先に図１（Ａ）を参照して説明したＨＤＲ画像対応の信号−輝度対応曲線であるＳＭＰＴＥ  ＳＴ  ２０８４曲線に相当する電光変換関数（ＥＯＴＦ）１７１が用いられる。
【００４９】
次いで、表示信号生成部１５３は変換テーブル１７２を用いて、表示パネルの特性に合わせた表示部駆動信号を生成する。この処理に際しては、記録メディア１２０から取得したメタデータ、および表示部１５４から取得した特性情報（出力可能なダイナミックレンジ情報、色情報など）を用いた処理が実行される。
液晶表示パネルなどからなる表示部１５４は、表示信号生成部１５３の生成する表示部駆動信号に従ってコンテンツを表示する。
【００５０】
図５には、ＳＤＲコンテンツの生成処理と記録処理を実行する情報処理装置１００の構成例を示している。
ＳＤＲコンテンツの生成処理と記録処理を実行する情報処理装置１００は、先に図２を参照して説明したＨＤＲコンテンツの生成処理と記録処理を実行する情報処理装置１００の構成と同様のブロック構成である。
【００５１】
ただし、撮影部１０１は、ＩＴＵ−Ｒ勧告  ＢＴ．２０２０に基づく広色域表色系のカラー画像ではなく、ＢＴ．２０２０より、やや狭い表色系を有するＩＴＵ−Ｒ勧告  ＢＴ．７０９あるいはＢＴ．１８８６に基づく表色系のカラー画像を記録する。
ＢＴ．７０９あるいはＢＴ．１８８６に基づく表色系は、先に図３を参照して説明したように、ＢＴ．２０２０より、やや狭い表色系を有する。
【００５２】
撮影部１０１の撮影画像は、グレーディング・マスタリング部１０２に入力され、撮影コンテンツに対するグレーディング、またはマスタリング処理が行なわれる。例えば変換テーブル１８１を用いて符号値と輝度を線形変換して、ＳＤＲのマスター・コンテンツを生成する。さらに、このＳＤＲマスター・コンテンツに対応するメタデータ、例えばダイナミックレンジ等の輝度情報や、色情報等からなるメタデータが生成される。
【００５３】
次いで、光電変換部１０３は、参照番号１８２で示すような光電変換関数（ＯＥＴＦ：Ｏｐｔｉｃａｌ−Ｅｌｅｃｔｒｏ  Ｔｒａｎｓｆｅｒ  Ｆｕｎｃｔｉｏｎ）を用いて輝度を８〜１０ビットの符号値に非線形変換して、ＳＤＲマスター・コンテンツの光線形の輝度信号を表示部駆動信号に変換する。
【００５４】
先に、図２を参照して説明したＨＤＲコンテンツの生成、記録処理では、この光電変換関数（ＯＥＴＦ）として、先に図１（Ａ）を参照して説明したＳＭＰＴＥ  ＳＴ  ２０８４曲線を利用した。
一方、ＳＤＲコンテンツの記録処理に際しては、図１（Ｂ）を参照して説明したガンマ２．４曲線を利用する。
【００５５】
先に図１を参照して説明したように、ガンマ２．４曲線は、ＳＤＲ画像を構成する輝度範囲：０〜１２０ｃｄ／平方ｍのダイナミックレンジに対応する符号化データの生成に用いられる。具体的には、ＳＤＲ画像を構成する輝度範囲のダイナミックレンジを、人間の眼に合わせた量子化ステップのカーブとして定義されるガンマ２．４曲線に従って変換することで所定ビット（例えば８〜１０ビット）の階調に収めた画像信号を生成することができる。
【００５６】
符号化部１０４は、ＳＤＲマスター・コンテンツ並びにそのメタデータを符号化して、所定のデータフォーマットに従った符号化データを生成する。生成された符号化データは、記録部１０５を介して記録メディア１２０に記録される。
【００５７】
図６は、記録メディア１２０に記録された所定のデータフォーマットに従って記録されたＳＤＲ画像データを読み出して再生する画像再生装置としての情報処理装置１５０の構成例を示す図である。
この図６に示すブロック構成も、先に図４を参照して説明したＨＤＲ画像データの再生装置と同様のブロック構成を有する。
ただし、電光変換部１５２において利用する電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）がＳＤＲ画像対応の電光変換関数（ＥＯＴＦ）１９１に置き換えられる。
【００５８】
復号部１５１は、記録メディア１２０から読み出した符号化ストリームを、表示装置に対して出力可能な信号（表示部駆動信号）に復号する処理を実行するとともに、メタデータを抽出する。
【００５９】
次いで、電光線形変換部１５２は、電光変換関数（ＥＯＴＦ：Ｅｌｅｃｔｒｏ−Ｏｐｔｉｃａｌ  Ｔｒａｎｓｆｅｒ  Ｆｕｎｃｔｉｏｎ）１９１を用いて、復号した例えば８〜１０ビットの符号値からなる表示部駆動信号を光線形の輝度信号に変換する。例えば、ＥＯＴＦ変換した後の光線形の輝度信号に対して、メタデータに記述された輝度情報に基づくダイナミックレンジ変換処理が行なわれる。
【００６０】
この符号値から輝度信号への変換処理には、先に図１（Ｂ）を参照して説明したＳＤＲ画像対応の信号−輝度対応曲線であるガンマ２．４曲線に相当する電光変換関数（ＥＯＴＦ）１９１が用いられる。
【００６１】
次いで、表示信号生成部１５３は変換テーブル１９２を用いて、表示パネルの特性に合わせた表示部駆動信号を生成する。この処理に際しては、記録メディア１２０から取得したメタデータ、および表示部１５４から取得した特性情報（出力可能なダイナミックレンジ情報、色情報など）を用いた処理が実行される。
液晶表示パネルなどからなる表示部１５４は、表示信号生成部１５３の生成する表示部駆動信号に従ってコンテンツを表示する。
【００６２】
［３．ＴＴＭＬ字幕データについて］
次に、例えば映画等のコンテンツに重畳表示される字幕データであるＴＴＭＬ（Ｔｉｍｅｄ  Ｔｅｘｔ  Ｍａｒｋｕｐ  Ｌａｎｇｕａｇｅ）字幕データについて説明する。
【００６３】
前述したように、ＴＴＭＬ字幕データは、ＷＷＷ（Ｗｏｒｌｄ  Ｗｉｄｅ  Ｗｅｂ）利用技術の国際的標準化団体であるＷ３Ｃ（Ｗｏｒｌｄ  Ｗｉｄｅ  Ｗｅｂ  Ｃｏｎｓｏｒｔｉｕｍ）が規定した字幕データ形式であり、表示する字幕データとともに字幕の表示タイミングを示す情報を記述可能な構成を持つＸＭＬ（Ｅｘｔｅｎｓｉｂｌｅ  Ｍａｒｋｕｐ  Ｌａｎｇｕａｇｅ）形式の字幕データである。
【００６４】
ＴＴＭＬ字幕データには、主として以下の２種類のタイプの字幕データがある。
（１）キャプション（Ｃａｐｔｉｏｎ）タイプ
（２）サブタイトル（Ｓｕｂｔｉｔｌｅ）タイプ
【００６５】
キャプション（Ｃａｐｔｉｏｎ）タイプは、聴覚に障害がある視聴者向けの補助情報となる字幕データである。
サブタイトル（Ｓｕｂｔｉｔｌｅ）タイプは、映画等のメインコンテンツの音声言語が理解できない視聴者向けの補助情報、すなわち翻訳字幕等の字幕データである。
【００６６】
なお、米国連邦通信委員会が制定する規格であるＣＦＲ４７Ｐａｒｔ７９は、インターネット等での配信コンテンツについては、上記のキャプション（Ｃａｐｔｉｏｎ）タイプの字幕データを付加することを義務付けており、字幕データとしてＳＭＰＴＥ−ＴＴを推奨している。
【００６７】
ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）は、米国の映画テレビ技術者協会であり、映画やテレビ等の技術に関する様々な技術を提案している。
ＳＭＰＴＥ−ＴＴ（ＳＭＰＴＥ  Ｐｒｏｆｉｌｅ  ｏｆ  ＴＴＭＬ）は、ＴＴＭＬ字幕データに画像表示機能であるＰＮＧ表示機能を追加した字幕表示技術である。
【００６８】
ＳＭＰＴＥ−ＴＴを用いると、ＸＭＬデータとして記述されたＴＴＭＬに対応付けられた字幕データとしてのＰＮＧ画像データを取得して表示することが可能となる。
【００６９】
ＳＭＰＴＥ−ＴＴを利用した字幕表示を実行する再生装置の構成と処理例について、図７を参照して説明する。
再生装置の受信部２０２は、例えばインターネット等の通信網を介して、メインコンテンツ画像データ２１１、ＳＭＰＴＥ−ＴＴ字幕データ２１２を受信する。
受信部２０２は、メインコンテンツ画像データ２１１を画像処理部２０３に入力し、ＳＭＰＴＥ−ＴＴ字幕データ２１２を字幕処理部２０６に入力する。
【００７０】
画像処理部２０３は、デコーダ２０４においてＨＤＲ画像の符号化データの復号処理を実行する。復号データは、バッファ機能を持つ記憶部２０５に格納され、制御部２０１による出力タイミングの制御の下、表示部２０９に、順次、表示される。
【００７１】
一方、字幕処理部２０６は、デコーダ２０７においてＳＭＰＴＥ−ＴＴ字幕データを構成するＸＭＬデータの解析を行い、表示すべき字幕データを取得し、取得した字幕データを記憶部２０８に格納する。
記憶部２０８に格納された字幕データは、ＳＭＰＴＥ−ＴＴ字幕データ２１２に含まれるＸＭＬデータに記述された字幕表示タイミングに従って、制御部２０１による出力タイミングの制御の下、表示部２０９に、順次、表示される。
【００７２】
字幕処理部２０６のデコーダ２０７の処理例について図８を参照して説明する。
字幕処理部２０６に入力されるＳＭＰＴＥ−ＴＴ字幕データ２１２は、例えば１時間分の映画に含まれる字幕データとその制御情報を記述した    ＸＭＬデータとして設定される。
【００７３】
デコーダ２０７は、このＸＭＬデータを解析（パース）し、表示すべき字幕データの取得処理、さらに表示タイミング情報等の解析を行う。
デコーダ２０７は、各字幕（＃００１，＃００２，＃００３・・・）の表示時間に間に合うように、順次、表示すべき字幕データを取得、復号し、バッファとしての記憶部２０８に格納する。さらに、ＸＭＬデータに記述された表示タイミング、例えば図８に示す時間ｔ１，ｔ２，ｔ３のタイミングで、各字幕を表示部２０９に表示する。
【００７４】
ＳＭＰＴＥ−ＴＴ字幕データを構成するＸＭＬデータの記述例を図９、図１０に示す。
図９に示すように、ＳＭＰＴＥ−ＴＴ字幕データを構成するＸＭＬデータには、例えば、以下の記述が含まれる。
（ａ）フレームレート情報
（ｂ）画枠情報
（ｃ）字幕レイアウト情報
（ｄ）字幕表示開始時間情報
（ｅ）字幕表示終了時間情報
（ｆ）表示字幕データ（ＰＮＧ）指定情報
【００７５】
（ａ）フレームレート情報は、字幕表示対象となる画像のフレームレート情報である。
（ｂ）画枠情報は、字幕表示対象となる画像のサイズ情報（縦と横の画素（ピクセル）数）である。
（ｃ）字幕レイアウト情報は、例えば字幕の表示領域等、表示レイアウトを示す情報である。
（ｄ）字幕表示開始時間情報、（ｅ）字幕表示終了時間情報は、字幕の表示開始時間と表示終了時間を示す情報である。
（ｆ）表示字幕データ（ＰＮＧ）指定情報は、表示すべき字幕の指定情報を示す。この例では字幕データはイメージデータとしてのＰＮＧデータとして設定されており、１つの字幕ＰＮＧデータを取得するための指定情報が記述されている。
【００７６】
字幕処理部２０６のデコーダ２０７は、このようなＸＭＬデータの記述を解析して、字幕の表示領域、表示タイミング等の制御情報を取得解析し、これらの制御情報に従って字幕が表示部２０９に順次、表示される。
【００７７】
図１０は、表示対象となる字幕データをＸＭＬデータ内にテキストデータとして記録したＸＭＬデータの例を示している。
ＳＭＰＴＥ−ＴＴでは、表示する字幕データをＰＮＧデータとして設定することを許容しているが、テキストデータとして記録することも可能である。
図１０のＸＭＬデータにも、図９を参照して説明したと同様、以下の記述が含まれる。
（ａ）フレームレート情報
（ｂ）画枠情報
（ｃ）字幕レイアウト情報
（ｄ）字幕表示開始時間情報
（ｅ）字幕表示終了時間情報
（ｆ）表示字幕データ（テキスト）情報
【００７８】
図９に示すＸＭＬデータとの違いは、（ｆ）表示字幕データ（テキスト）情報が、テキストデータとしてＸＭＬデータに記録されている点である。
なお、テキストデータに併せて、その前段に、字幕表示色等の字幕表示態様を設定する制御情報の記述が可能である。
図１０に示す例では、テキストデータの前に、以下の表示色指定情報が記録されている。
ｔｔｓ：ｃｏｌｏｒ＝"ｒｅｄ"
この制御情報は、その後に記録された字幕テキストデータを赤色（ｒｅｄ）で表示することを要求する制御情報である。
【００７９】
字幕処理部２０６のデコーダ２０７は、このようなＸＭＬデータの記述を解析して、字幕の表示領域、表示タイミングのみならず、表示色等の表示態様についての制御情報を取得解析し、これらの制御情報に従って字幕が表示部２０９に順次、表示される。
【００８０】
［４．ＨＤＲ画像データとＳＤＲ字幕データの重畳表示処理を行なう場合の問題点について］
次に、ＨＤＲ画像データとＳＤＲ字幕データの重畳表示処理を行なう場合の問題点について説明する。
【００８１】
図１１は、例えば映画等のメインコンテンツがＨＤＲ画像２５１であり、このＨＤＲ画像２５１に重畳してＳＤＲ画像相当の色空間内の輝度や色の出力が可能なＳＤＲ字幕２５２を表示した例である。
【００８２】
先に図１や図３を参照して説明したように、ＨＤＲデータと、ＳＤＲデータでは、出力可能な色や輝度範囲が全く異なっている。例えば、図３を参照して説明したように、ＨＤＲデータに適用される表色系（ＢＴ．２０２０）と、ＳＤＲデータに適用される表色系（ＢＴ．７０９／ＢＴ．１８８６）では、出力可能な色の範囲が異なっている。
このように出力特性の全く異なるＨＤＲデータとＳＤＲデータをそのまま並列出力すると、視聴者に対して、２つの画像間の差異に基づく違和感を与えてしまうことになる。
【００８３】
すなわち、図１１に示すように、映画等のメインコンテンツがＨＤＲ画像２５１であり、このＨＤＲ画像２５１に重畳してＳＤＲ字幕２５２を表示すると、画像と字幕では、輝度や色合いが異なることになり、視聴者に違和感を与えてしまう。
【００８４】
［５．ＨＤＲ画像と輝度や色合いの一致する字幕データを重畳表示する構成について］
図１１を参照して説明したように、ＨＤＲ画像上に、ＨＤＲ画像と特性の異なる字幕データを重畳して表示すると、輝度や色合いが異なり、視聴者に違和感を与えてしまうという問題がある。
以下、このような問題を解決する構成について説明する。
【００８５】
図１２は、本開示の処理が適用可能な情報処理システムの１つの構成例を示す図である。
情報処理装置３００は、例えばインターネットや放送波等の通信ネットワーク３５１を介して画像や音声、字幕データ等からなるコンテンツを受信し、表示装置３７０に出力する。
あるいは、情報記録媒体３５２に格納された画像や音声、字幕データ等からなるコンテンツを読み取り、再生処理を実行して表示装置３７０に出力する。
【００８６】
情報処理装置３００は、表示データ生成処理において、ＨＤＲ画像上に、ＨＤＲ画像と同様の輝度や色特性をもつ字幕データを表示する。
【００８７】
情報処理装置３００の構成例を図１３に示す。
情報処理装置３００のデータ入力部３０２は、例えばインターネット等の通信網を介してコンテンツを受信する受信部、あるいはディスク等の情報記録媒体からコンテンツを読み取るメディアドライブ等によって構成され、画像データや、音声データ、字幕データ等を入力する。
【００８８】
データ入力部３０２の入力データには、画像データや、音声データ、字幕データが含まれ、情報処理装置３００は、これら全ての入力データに対する処理を実行するが、以下では、画像データと字幕データに対する処理についてのみ説明する。
【００８９】
図に示すように、データ入力部３０２は、画像データ３１１と、字幕データ３１２を入力して、これらの入力データに対する処理を実行して、例えばＨＤＲ画像データ上に、ＨＤＲ画像と同様の輝度特性、色特性を有する字幕データを表示する処理を実行する。
【００９０】
字幕データ３１２は、例えば前述したＳＭＰＴＥ−ＴＴ字幕データである。ただし、このＳＭＰＴＥ−ＴＴ字幕データは、画像データ３１１がＨＤＲ画像データである場合、ＨＤＲ画像と同様の輝度特性、色特性を有する字幕データの表示を実現するため、従来のＳＭＰＴＥ−ＴＴ字幕データとは異なる制御情報等が記録されている。
この具体的な例については後段で説明する。
【００９１】
まず、図１３に示す情報処理装置３００の構成と処理の概要について説明する。
データ入力部３０２の入力した画像データ３１１と、字幕データ３１２は、それぞれ画像処理部３０３と、字幕処理部０６に入力される。
【００９２】
画像処理部３０３は、デコーダ３０４において画像の符号化データの復号処理を実行する。復号データは、バッファ機能を持つ記憶部３０５に、格納され、制御部３０１による出力タイミングの制御の下、表示部３０９に、順次、表示される。
例えば、図１３に示すデコーダ３０４の生成したＨＤＲ画像出力データ３２１が表示装置３７０に表示される。
【００９３】
一方、字幕処理部３０６は、デコーダ３０７においてＳＭＰＴＥ−ＴＴ字幕データを構成するＸＭＬデータの解析を行い、表示すべき字幕データを取得し、取得した字幕データを記憶部３０８に格納する。
記憶部３０８に格納された字幕データは、ＸＭＬデータに記述された字幕表示タイミングに従って、制御部３０１による出力タイミングの制御の下、表示装置３７０に、順次、表示される。
例えば、図１３に示すデコーダ３０７の生成したＨＤＲ字幕出力データ３２２が表示装置３７０に表示される。
【００９４】
前述したように、データ入力部３０２がネットワーク、あるいはディスク等のメディアから入力する字幕データ３１２は、入エ力する画像データ３１１がＨＤＲ画像である場合、ＨＤＲ画像と同様の輝度特性、色特性を有する字幕表示を実現する字幕データ３１２として構成される。
すなわち、従来のＳＭＰＴＥ−ＴＴ字幕データとは異なる制御情報等が記録されている。
字幕処理部３０６のデコーダ３０７は、この制御情報等に基づいて、ＨＤＲ字幕出力データ３２２を生成して表示装置３７０に出力する。
【００９５】
この処理によって表示装置３７０にはＨＤＲ画像上にＨＤＲ字幕が表示されることになり、輝度や色合いの統一感のある画像と字幕が併せて表示され、視聴者は違和感なくコンテンツを鑑賞することが可能となる。
【００９６】
字幕データ３１２に記録される情報、すなわち、ＨＤＲ画像と同様の輝度特性、色特性を有する字幕データの表示を実現するためにＳＭＰＴＥ−ＴＴ字幕データに記録する情報の複数の例について図１４以下を参照して説明する。
【００９７】
以下の３つの字幕データ構成例について、順次説明する。
（字幕データ構成例１）色空間指定情報、ＥＯＴＦ指定情報、および可変型の色深度指定情報を制御情報として記録した字幕データ構成例
（字幕データ構成例２）色空間指定情報、ＥＯＴＦ指定情報、および固定型の色深度指定情報を制御情報として記録した字幕データ構成例
（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例
【００９８】
［５−１．（字幕データ構成例１）色空間指定情報、ＥＯＴＦ指定情報、および可変型の色深度指定情報を制御情報として記録した字幕データ構成例について］
まず、図１４以下を参照して、（字幕データ構成例１）色空間指定情報、ＥＯＴＦ指定情報、および可変型の色深度指定情報を制御情報として記録した字幕データ構成例について説明する。
【００９９】
図１４は、ＳＭＰＴＥ−ＴＴ字幕データに記録する情報を示している。
図１４に示すように、以下の各データをＳＭＰＴＥ−ＴＴ字幕データに記録する。
（１）色空間指定情報
（２）ＥＯＴＦ指定情報
（３）色深度指定情報（可変）
これらの３種類の情報をＳＭＰＴＥ−ＴＴ字幕データに記録する。
【０１００】
「（１）色空間指定情報」は、この「（１）色空間指定情報」の記録されたＳＭＰＴＥ−ＴＴ字幕データに従って表示する字幕データに適用される色空間（ｃｏｌｏｒ  Ｓｐａｃｅ）を示す情報である。
「（１）色空間指定情報」の記述属性（ａｔｔｒｉｂｕｔｅ）は文字列（ｓｔｒｉｎｇ）であり、文字列として色空間指定情報を記述する。
【０１０１】
ＳＭＰＴＥ−ＴＴを構成するＸＭＬデータに設定する「（１）色空間指定情報」の属性記述フィールドは、図１４（１）（ｂ）の欄に示すように、
ｔｔｓ：ｃｏｌｏｒＳｐａｃｅ
上記フィールドとする。
【０１０２】
また、「（１）色空間指定情報」の具体的な記述例とその意味は、図１４（１）の（ｃ），（ｄ）に示す設定となる。
ｔｔｓ：ｃｏｌｏｒＳｐａｃｅ＝"ＢＴ．２０２０"
この色空間指定情報の記述は、この色空間指定情報に従って表示される字幕データが、色空間ＢＴ．２０２０に従って生成された字幕データであることを意味する。
【０１０３】
ｔｔｓ：ｃｏｌｏｒＳｐａｃｅ＝"ＢＴ．１８８６"
この色空間指定情報の記述は、この色空間指定情報に従って表示される字幕データが、色空間ＢＴ．１８８６に従って生成された字幕データであることを意味する。
【０１０４】
ｔｔｓ：ｃｏｌｏｒＳｐａｃｅ＝"ｓＲＧＢ"
この色空間指定情報の記述は、この色空間指定情報に従って表示される字幕データが、色空間ｓＲＧＢに従って生成された字幕データであることを意味する。
【０１０５】
図１３に示す情報処理装置３００の字幕処理部３０６のデコーダ３０７は、デコード処理対象となる字幕データ３１２、すなわちＳＭＰＴＥ−ＴＴ字幕データから、上記の「色空間指定情報」を読み出して、この指定情報によって制御される字幕データがどのタイプの色空間を利用して生成された字幕データであるかを判定することができる。
【０１０６】
例えば、「色空間指定情報」として、
「ｔｔｓ：ｃｏｌｏｒＳｐａｃｅ＝"ＢＴ．２０２０"」
上記記述がある場合、この指定情報によって制御される字幕データがＨＤＲ画像相当の色空間ＢＴ．２０２０を利用して生成された字幕データであると判断することができる。
【０１０７】
また、「色空間指定情報」として、
「ｔｔｓ：ｃｏｌｏｒＳｐａｃｅ＝"ＢＴ．１８８６"」、あるいは、
「ｔｔｓ：ｃｏｌｏｒＳｐａｃｅ＝"ｓＲＧＢ"」
上記記述がある場合、この指定情報によって制御される字幕データがＳＤＲ画像相当の色空間を利用して生成された字幕データであると判断することができる。
【０１０８】
次に、「（２）ＥＯＴＦ指定情報」について説明する。
「（２）ＥＯＴＦ指定情報」は、この「（２）ＥＯＴＦ指定情報」の記録されたＳＭＰＴＥ−ＴＴ字幕データに従って表示する字幕データに適用すべき電光変換関数（ＥＯＴＦ）を示す情報である。
「（２）ＥＯＴＦ指定情報」の記述属性（ａｔｔｒｉｂｕｔｅ）は文字列（ｓｔｒｉｎｇ）であり、文字列としてＥＯＴＦ指定情報を記述する。
【０１０９】
ＳＭＰＴＥ−ＴＴを構成するＸＭＬデータに設定する「（２）ＥＯＴＦ指定情報」の属性記述フィールドは、図１４（２）（ｂ）の欄に示すように、
ｔｔｓ：ＥＯＴＦ
上記フィールドとする。
【０１１０】
また、「（２）ＥＯＴＦ指定情報」の具体的な記述例とその意味は、図１４（２）の（ｃ），（ｄ）に示す設定となる。
ｔｔｓ：ＥＯＴＦ＝"ＳＭＰＴＥＳＴ２０８４"
このＥＯＴＦ指定情報の記述は、表示する字幕データの表示データ生成処理に適用すべき電光変換関数（ＥＯＴＦ）が、ＳＭＰＴＥ  ＳＴ  ２０８４であることを意味する。
【０１１１】
ｔｔｓ：ＥＯＴＦ＝"γ２．４"
このＥＯＴＦ指定情報の記述は、表示する字幕データの表示データ生成処理に適用すべき電光変換関数（ＥＯＴＦ）が、γ２．４（ガンマ２．４）曲線であることを意味する。
【０１１２】
ｔｔｓ：ＥＯＴＦ＝"ＨＤＲ"
このＥＯＴＦ指定情報の記述は、表示する字幕データの表示データ生成処理に適用すべき電光変換関数（ＥＯＴＦ）が、ＨＤＲ対応のＥＯＴＦであることを意味する。
【０１１３】
ｔｔｓ：ＥＯＴＦ＝"ＳＤＲ"
このＥＯＴＦ指定情報の記述は、表示する字幕データの表示データ生成処理に適用すべき電光変換関数（ＥＯＴＦ）が、ＳＤＲ対応のＥＯＴＦであることを意味する。
【０１１４】
図１３に示す情報処理装置３００の字幕処理部３０６のデコーダ３０７は、デコード処理対象となる字幕データ３１２としてのＳＭＰＴＥ−ＴＴ字幕データから、上記の「ＥＯＴＦ指定情報」を読み出して、この指定情報によって制御される字幕データがどのタイプのＥＯＴＦを利用して表示データを生成すべき字幕データであるかを判定することができる。
【０１１５】
例えば、「ＥＯＴＦ指定情報」として、
「ｔｔｓ：ＥＯＴＦ＝"ＳＭＰＴＥＳＴ２０８４"」、または、
「ｔｔｓ：ＥＯＴＦ＝"ＨＤＲ"」
上記記述がある場合、この指定情報によって制御される字幕データは、光電変換関数（ＥＯＴＦ）としてＨＤＲ画像対応のＳＭＰＴＥ  ＳＴ  ２０８４を適用して表示データを生成することが必要であると判断することができる。
【０１１６】
また、「ＥＯＴＦ指定情報」として、
「ｔｔｓ：ＥＯＴＦ＝"γ２．４"」、または、
「ｔｔｓ：ＥＯＴＦ＝"ＳＤＲ"」
上記記述がある場合、この指定情報によって制御される字幕データは、光電変換関数（ＥＯＴＦ）としてＳＤＲ画像対応のγ２．４（ガンマ２．４）曲線を適用して表示データを生成することが必要であると判断することができる。
【０１１７】
次に、「（３）色深度指定情報（可変）」について説明する。
「（３）色深度指定情報（可変）」は、この「（３）色深度指定情報（可変）」の記録されたＳＭＰＴＥ−ＴＴ字幕データに従って表示する字幕データの色深度（ｃｏｌｏｒＤｅｐｔｈ）を示す情報である。
すなわち、例えばＲＧＢ値を示すビット値のビット数を示す情報である。
「（３）色深度指定情報（可変）」の記述属性（ａｔｔｒｉｂｕｔｅ）は数値（ｕｎｉｔ）であり、数値として色深度指定情報を記述する。
なお、（可変）の意味は、色深度指定情報を示すビット数の数値として、１２，１０，８等、複数の様々な値に設定可能であることを意味する。
【０１１８】
ＳＭＰＴＥ−ＴＴを構成するＸＭＬデータに設定する「（３）色深度指定情報（可変）」の属性記述フィールドは、図１４（３）（ｂ）の欄に示すように、
ｔｔｓ：ｃｏｌｏｒＤｅｐｔｈ
上記フィールドとする。
【０１１９】
また、「（３）色深度指定情報（可変）」の具体的な記述例とその意味は、図１４（３）の（ｃ），（ｄ）に示す設定となる。
ｔｔｓ：ｃｏｌｏｒＤｅｐｔｈ＝"１２"
この色深度指定情報（可変）の記述は、このＸＭＬデータに記録された字幕データの色深度を示すビット値、例えばＲＧＢ値等を示すビット値が１２ビット表現のデータであることを意味する。
【０１２０】
ｔｔｓ：ｃｏｌｏｒＤｅｐｔｈ＝"１０"
この色深度指定情報（可変）の記述は、このＸＭＬデータに記録された字幕データの色深度を示すビット値、例えばＲＧＢ値等を示すビット値が１０ビット表現のデータであることを意味する。
【０１２１】
ｔｔｓ：ｃｏｌｏｒＤｅｐｔｈ＝"８"
この色深度指定情報（可変）の記述は、このＸＭＬデータに記録された字幕データの色深度を示すビット値、例えばＲＧＢ値等を示すビット値が８ビット表現のデータであることを意味する。
【０１２２】
図１３に示す情報処理装置３００の字幕処理部３０６のデコーダ３０７は、デコード処理対象となる字幕データ３１２としてのＳＭＰＴＥ−ＴＴ字幕データから、上記の「色深度指定情報（可変）」を読み出して、この指定情報によって制御される字幕データのビット値表現が何ビット表現のデータであるかを判断することができる。
【０１２３】
図１４を参照して説明した各情報をＳＭＰＴＥ−ＴＴ字幕データを構成するＸＭＬデータ中に記録した具体例について図１５、図１６を参照して説明する。
【０１２４】
図１５は、先に図９、図１０を参照して説明したと同様のＳＭＰＴＥ−ＴＴ字幕データを構成するＸＭＬデータの例である。
先に図９、図１０を参照して説明したように、ＸＭＬデータには、例えば、以下の記述が含まれる。
（ａ）フレームレート情報
（ｂ）画枠情報
（ｃ）字幕レイアウト情報
（ｄ）字幕表示開始時間情報
（ｅ）字幕表示終了時間情報
（ｆ）表示字幕データ（ＰＮＧ）指定情報またはテキスト情報
【０１２５】
（ａ）フレームレート情報は、字幕表示対象となる画像のフレームレート情報である。
（ｂ）画枠情報は、字幕表示対象となる画像のサイズ情報（縦と横の画素（ピクセル）数）である。
（ｃ）字幕レイアウト情報は、例えば字幕の表示領域等、表示レイアウトを示す情報である。
（ｄ）字幕表示開始時間情報、（ｅ）字幕表示終了時間情報は、字幕の表示開始時間と表示終了時間を示す情報である。
（ｆ）表示字幕データ（ＰＮＧ）指定情報またはテキスト情報は、表示すべき字幕の指定情報、またはテキスト情報を示す。
【０１２６】
図１５に示すＸＭＬデータには、さらに、図１４を参照して説明した以下の情報を追加記録している。
（１）色空間指定情報４１１
（２）ＥＯＴＦ指定情報４１２
【０１２７】
色空間指定情報４１１は、字幕データに適用される色空間（ｃｏｌｏｒ  Ｓｐａｃｅ）を示す情報である。
ＥＯＴＦ指定情報４１２は、表示する字幕データに適用すべき電光変換関数（ＥＯＴＦ）を示す情報である。
【０１２８】
図１３に示す情報処理装置３００の字幕処理部３０６のデコーダ３０７は、デコード処理対象となる字幕データ３１２としてのＳＭＰＴＥ−ＴＴ字幕データから、これらの「色空間指定情報４１１」「ＥＯＴＦ指定情報４１２」を読み出して、この指定情報によって制御される字幕データがどの色空間に対応する字幕データであるか。またどのタイプのＥＯＴＦを利用して表示データを生成すべき字幕データであるかを判定することができる。
【０１２９】
なお、図１５に示す例では、
（１）色空間指定情報４１１
（２）ＥＯＴＦ指定情報４１２
これらの字幕制御情報の記録要素（エレメント）が、
＜ｄｉｖ  ｔｔｓ〜＞
このｄｉｖエレメントに設定されている。
【０１３０】
ＸＭＬデータでは、異なるエレメントが階層構成として記録されている。
上位エレメントから、例えば以下の要素（エレメント）が記録される。
ｂｏｄｙ
ｄｉｖ
ｐ
ｒｅｇｉｏｎ
ｓｐａｎ
【０１３１】
下位エレメントは、上位エレメントに含まれるエレメントであり、上位エレメントにおいて規定される定義情報、属性情報は、そのエレメントおよびそのエレメントの下位エレメントの定義情報、属性情報として有効となる。
【０１３２】
（１）色空間指定情報４１１
（２）ＥＯＴＦ指定情報４１２
これらの属性情報は、
ｂｏｄｙ
ｄｉｖ
ｐ
ｒｅｇｉｏｎ
ｓｐａｎ
これらのいずれのエレメントにおいても定義可能な属性情報である。
【０１３３】
図１６に示すＸＭＬデータは、図１５を参照して説明した以下の情報、すなわち、
（１）色空間指定情報４１１
（２）ＥＯＴＦ指定情報４１２
これらの情報に加えて、
（３）色深度指定情報（可変）４１３
上記情報を記録したＸＭＬデータの例である。
【０１３４】
色深度指定情報（可変）４１３は、図１４を参照して説明したように、このＸＭＬデータに記録された字幕データの色深度を示すビット値、例えばＲＧＢ値等を示すビット値が何ビット表現のデータであるかを示す情報である。
【０１３５】
図１６に示すＸＭＬデータでは、色深度指定情報（可変）４１３が、以下のデータとして記録されている。
ｔｔｓ：ｃｏｌｏｒＤｅｐｔｈ＝"１０"
この色深度指定情報（可変）の記述は、このＸＭＬデータに記録された字幕データの色深度を示すビット値、例えばＲＧＢ値等を示すビット値が１０ビット表現のデータであることを意味する。
【０１３６】
図１６に示すＸＭＬデータにおいて、色情報４１４の記録データは以下のま通りである。
＜ｓｐａｎ  ｔｔｓ：ｃｏｌｏｒ＝"５１２，０，０"＞
これは、この後に記録されたテキスト字幕データ４１５の色情報を示すビット値（ＲＧＢの値）である。
この色情報を示すＲＧＢ値が各々１０ビットデータ、すなわち０〜５１２のビットデータとして表現されていることを意味する。
【０１３７】
ｔｔｓ：ｃｏｌｏｒＤｅｐｔｈ＝"１０"
ｃｏｌｏｒ＝"５１２，０，０"
これらのデータから、字幕データの表現色を示すＲＧＢの各ビット値が１０ビットデータであり、以下の設定であることが確認される。
Ｒ＝５１２，
Ｇ＝０，
Ｂ＝０、
すなわち、テキスト字幕データ４１５は赤（Ｒ）で出力すべきであることが確認される。
【０１３８】
［５−２．（字幕データ構成例２）色空間指定情報、ＥＯＴＦ指定情報、および固定型の色深度指定情報を制御情報として記録した字幕データ構成例について］
次に、図１７以下を参照して、（字幕データ構成例２）色空間指定情報、ＥＯＴＦ指定情報、および固定型の色深度指定情報を制御情報として記録した字幕データ構成例について説明する。
【０１３９】
図１７は、ＳＭＰＴＥ−ＴＴ字幕データに記録する情報を示している。
図１７に示すように、この字幕データ構成例２では、以下の各データをＳＭＰＴＥ−ＴＴ字幕データに記録する。
（１）色空間指定情報
（２）ＥＯＴＦ指定情報
（３−２）色深度指定情報（固定）
これらの３種類の情報をＳＭＰＴＥ−ＴＴ字幕データに記録する。
【０１４０】
（１）色空間指定情報と、（２）ＥＯＴＦ指定情報は、図１４〜図１６を参照して説明した（字幕データ構成例１）と同じデータである。
（１）色空間指定情報は、この色空間指定情報に従って表示される字幕データが、どのタイプの色空間に従って生成された字幕データであるかを示す情報である。
また、（２）ＥＯＴＦ指定情報は、表示する字幕データに適用すべき電光変換関数（ＥＯＴＦ）を示す情報である。
【０１４１】
次に、「（３−２）色深度指定情報（固定）」について説明する。
「（３−２）色深度指定情報（固定）」は、図１４〜図１６を参照して説明した「（３）色深度指定情報（可変）」と同様、字幕データの色深度（ｃｏｌｏｒＤｅｐｔｈ）を示す情報である。
ただし、図１４〜図１６を参照して説明した「（３）色深度指定情報（可変）」のデータの記述態様と異なり、色深度を示すビット数値を固定型の記述としたものである。
【０１４２】
図１４〜図１６を参照して説明した「（３）色深度指定情報（可変）」は、色深度の値（ビット数）を８，１０，１２等、様々な数値を記録可能な構成であった。
すなわち、
ｔｔｓ：ｃｏｌｏｒＤｅｐｔｈ＝８，１０，１２，・・・
これらの様々な数値を記録可能な属性記述フィールドであった。
【０１４３】
一方、図１７に示す「（３−２）色深度指定情報（固定）」は、図１７（３−２）（ｂ）の欄に示すように、
ｔｔｓ：ｃｏｌｏｒ１０
ｔｔｓ：ｃｏｌｏｒ１２
ｔｔｓ：ｂａｃｋｇｒｏｕｎｄＣｏｌｏｒ１０
ｔｔｓ：ｂａｃｋｇｒｏｕｎｄＣｏｌｏｒ１２
これらの記述形式を持つフィールドであり、予め固定的な色深度（ビット数）情報を記述するフィールドである。
【０１４４】
「（３）色深度指定情報（固定）」の具体的な記述例とその意味は、図１７（３−２）の（ｃ），（ｄ）に示す設定となる。
ｔｔｓ：ｃｏｌｏｒ１０
この色深度指定情報（固定）の記述は、このＸＭＬデータに記録された字幕データの色深度を示すビット値、例えばＲＧＢ値等を示すビット値が１０ビット表現のデータであることを意味する。
【０１４５】
ｔｔｓ：ｃｏｌｏｒ１２
この色深度指定情報（固定）の記述は、このＸＭＬデータに記録された字幕データの色深度を示すビット値、例えばＲＧＢ値等を示すビット値が１２ビット表現のデータであることを意味する。
【０１４６】
ｔｔｓ：ｂａｃｋｇｒｏｕｎｄＣｏｌｏｒ１０
この色深度指定情報（固定）の記述は、このＸＭＬデータに記録された字幕データの背景色の色深度を示すビット値、例えばＲＧＢ値等を示すビット値が１０ビット表現のデータであることを意味する。
【０１４７】
ｔｔｓ：ｂａｃｋｇｒｏｕｎｄＣｏｌｏｒ１２
この色深度指定情報（固定）の記述は、このＸＭＬデータに記録された字幕データの背景色の色深度を示すビット値、例えばＲＧＢ値等を示すビット値が１２ビット表現のデータであることを意味する。
【０１４８】
図１３に示す情報処理装置３００の字幕処理部３０６のデコーダ３０７は、デコード処理対象となる字幕データ３１２としてのＳＭＰＴＥ−ＴＴ字幕データから、上記の「色深度指定情報（固定）」を読み出して、この指定情報によって制御される字幕データや字幕背景色のビット値表現が何ビット表現のデータであるかを判断することができる。
【０１４９】
図１７を参照して説明した各情報をＳＭＰＴＥ−ＴＴ字幕データを構成するＸＭＬデータ中に記録した具体例について図１８を参照して説明する。
【０１５０】
図１８に示すＸＭＬデータは、図１７を参照して説明した以下の情報、すなわち、
（１）色空間指定情報４１１
（２）ＥＯＴＦ指定情報４１２
（３−２）色深度指定情報（固定）４２１、
これらの各情報を記録したＸＭＬデータの例である。
【０１５１】
色空間指定情報４１１は、字幕データに適用される色空間（ｃｏｌｏｒ  Ｓｐａｃｅ）を示す情報である。
ＥＯＴＦ指定情報４１２は、表示する字幕データに適用すべき電光変換関数（ＥＯＴＦ）を示す情報である。
色深度指定情報（固定）４２１は、図１７を参照して説明したように、このＸＭＬデータに記録された字幕データの色深度を示すビット値、例えばＲＧＢ値等を示すビット値が何ビット表現のデータであるかを示す情報である。
【０１５２】
図１８に示すＸＭＬデータでは、色深度指定情報（固定）４２１が、色情報４２２とともに、以下のデータとして記録されている。
ｔｔｓ：ｃｏｌｏｒ１０＝"５１２，０，０"
この色深度指定情報（固定）の記述は、このＸＭＬデータに記録された字幕データの色深度を示すビット値、例えばＲＧＢ値等を示すビット値が１０ビット表現のデータであることを意味する。
【０１５３】
さらに、"５１２，０，０"の記述は、この後に記録されたテキスト字幕データ４１５の色情報を示すビット値（ＲＧＢの値）である。
この色情報を示すＲＧＢ値が各々１０ビットデータ、すなわち０〜５１２のビットデータとして表現されていることを意味する。
これらのデータから、字幕データの表現色を示すＲＧＢの各ビット値が１０ビットデータであり、以下の設定であることが確認される。
Ｒ＝５１２，
Ｇ＝０，
Ｂ＝０、
すなわち、テキスト字幕データ４１５は赤（Ｒ）で出力すべきであることが確認される。
【０１５４】
［５−３．（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例について］
次に、（字幕データ構成例３）として、ＵＨＤ（超高精細画像：Ｕｌｔｒａ  Ｈｉｇｈ  Ｄｅｆｉｎｉｔｉｏｎ画像）定義情報を制御情報として記録した字幕データ構成例について説明する。
【０１５５】
図１９は、ＳＭＰＴＥ−ＴＴ字幕データに記録する情報を示している。
図１９に示すように、この字幕データ構成例３では、以下のデータをＳＭＰＴＥ−ＴＴ字幕データに記録する。
（４）ＵＨＤ定義情報
【０１５６】
ＵＨＤ定義情報は、ＳＭＰＴＥ−ＴＴ字幕データに記録された字幕データが、ＵＨＤ（超高精細画像：Ｕｌｔｒａ  Ｈｉｇｈ  Ｄｅｆｉｎｉｔｉｏｎ画像）データであるか否かについての情報を記録するフィールドである。
「（４）ＵＨＤ定義情報」の記述属性（ａｔｔｒｉｂｕｔｅ）は文字列（ｓｔｒｉｎｇ）であり、文字列としてＵＨＤ情報を記述する。
ＵＨＤデータである場合、その字幕データに適用するＥＯＴＦ、字幕データの色空間、字幕データの色深度情報を取得可能な定義データ（ＨＤＲ１０，ＨＤＲ１２等）を記録する。
【０１５７】
ＳＭＰＴＥ−ＴＴを構成するＸＭＬデータに設定する「（４）ＵＨＤ定義情報」の属性記述フィールドは、図１９（４）（ｂ）の欄に示すように、
ｔｔｐ：ＵＨＤ
上記フィールドとする。
なお、この属性情報が記述されていれば、このフィールド以下の下位エレメントに記録された字幕データがＵＨＤ対応の字幕、すなわちＨＤＲ相当の字幕データであることを意味する。
一方、この属性情報の記述がなければ、下位エレメントに記録された字幕データがＵＨＤ対応の字幕てはない、すなわちＳＤＲ相当の字幕データであることを意味する。
【０１５８】
また、「（４）ＵＨＤ定義情報」の具体的な記述例とその意味は、図１９（４）の（ｃ），（ｄ）に示す設定となる。
ｔｔｐ：ＵＨＤ＝"ＨＤＲ１０"
このＵＨＤ定義情報の記述は、このＵＨＤ定義情報以下の字幕データが、ＨＤＲ１０タイプの字幕データであることを意味する。
【０１５９】
なお、ＨＤＲ１０タイプの字幕データは、以下の設定の字幕データであることが予め規定されているものとする。
適用すべきＥＯＴＦ＝ＳＭＰＴＥ  ＳＴ  ２０８４
字幕データの色空間＝ＢＴ．２０２０
字幕データの色深度（色表現ビット値）＝１０ビット
【０１６０】
ｔｔｐ：ＵＨＤ＝"ＨＤＲ１２"
このＵＨＤ定義情報の記述は、このＵＨＤ定義情報以下の字幕データが、ＨＤＲ１２タイプの字幕データであることを意味する。
ＨＤＲ１２タイプの字幕データは、以下の設定の字幕データであることが予め規定されているものとする。
適用すべきＥＯＴＦ＝ＳＭＰＴＥ  ＳＴ  ２０８４
字幕データの色空間＝ＢＴ．２０２０
字幕データの色深度（色表現ビット値）＝１２ビット
【０１６１】
図１３に示す情報処理装置３００の字幕処理部３０６のデコーダ３０７は、デコード処理対象となる字幕データ３１２としてのＳＭＰＴＥ−ＴＴ字幕データから、上記の「ＵＨＤ定義情報」を読み出して、この情報によって制御される字幕データのタイプを判別し、判別タイプに対応して規定されたＥＯＴＦ、色空間、色深度を判別することができる。
【０１６２】
図１９下段には、このＵＨＤ定義情報をＳＭＰＴＥ−ＴＴ字幕データを構成するＸＭＬデータ中に記録した具体例を示している。
図１９に示すＸＭＬデータは、
ＵＨＤ定義情報４３１が記録されている。
【０１６３】
図１９に示すＸＭＬデータに記録されたＵＨＤ定義情報は以下のデータである。
ｔｔｐ：ＵＨＤ＝"ＨＤＲ１０"
このＵＨＤ定義情報の記述は、このＵＨＤ定義情報以下の字幕データが、ＨＤＲ１０タイプの字幕データであることを意味する。
【０１６４】
前述したように、ＨＤＲ１０タイプの字幕データは、以下の設定の字幕データであることが予め規定されている。
適用すべきＥＯＴＦ＝ＳＭＰＴＥ  ＳＴ  ２０８４
字幕データの色空間＝ＢＴ．２０２０
字幕データの色深度（色表現ビット値）＝１０ビット
【０１６５】
図１９に示すＸＭＬデータには、さらに色情報４１４として、以下のデータが記録されている。
ｔｔｓ：ｃｏｌｏｒ１０＝"５１２，０，０"
この色情報の記述は、このＸＭＬデータに記録された字幕データの色深度が１０ビット表現のデータであり、ＲＧＢ値が"５１２，０，０"の各ビット値であることを示している。
【０１６６】
これらのデータから、字幕データの表現色を示すＲＧＢの各ビット値が１０ビットデータであり、以下の設定であることが確認される。
Ｒ＝５１２，
Ｇ＝０，
Ｂ＝０、
すなわち、テキスト字幕データ４１５は赤（Ｒ）で出力すべきであることが確認される。
【０１６７】
［６．コンテンツ生成処理と、データ記録処理を実行する情報処理装置の構成と処理について］
次に、図２０、図２１を参照して、コンテンツ生成処理と、データ記録処理を実行する情報処理装置の構成と処理について説明する。
【０１６８】
図２０は、コンテンツ生成処理と、情報記録媒体に対するデータ記録処理を実行する情報処理装置５００の構成を示す図である。
情報処理装置５００は、図２０に示す情報記録媒体（記録メディア）５２０に、ＨＤＲ画像や、ＳＭＰＴＥ−ＴＴ字幕データを記録する。
【０１６９】
データ入力部５０１は、情報記録媒体５２０に対する記録用データ５３１、すなわち画像データ、音声データ、字幕データ等の記録用データ５３１を入力する。これらの記録用データ５３１はコンテンツ製作者によって制作されたデータであり、例えば１つのメディア、あるいは個別の複数メディアに記録され、メディアを介して情報処理装置５００に入力される。あるいは、ネットワーク等を介して入力する構成としてもよい。
【０１７０】
記録用データ５３１は、制御部５０３の制御によって、記憶部５０４に格納され、その後、データ生成部５０５に入力される。
【０１７１】
データ生成部５０５は、字幕データ生成部５１１、画像データ生成部５１２、音声データ生成部５１３を有する。
字幕データ生成部５１１は、データ入力部５０１が入力し、記憶部５０４に格納された記録用データ５３１から、字幕データを取得し、この字幕データの再生制御情報を含むＸＭＬデータ、具体的には例えば先に図１４〜図１９を参照して説明したＳＭＰＴＥ−ＴＴ字幕データを生成し、符号化処理を行なう。
字幕データ生成部５１１は、ＨＤＲ画像と同等の輝度、色表現可能な字幕データを生成する。
【０１７２】
画像データ生成部５１２は、データ入力部５０１が入力し、記憶部５０４に格納された記録用データ５３１から、画像データを取得し、所定フォーマットに従った符号化処理等を実行する。
音声データ生成部５１３は、データ入力部５０１が入力し、記憶部５０４に格納された記録用データ５３１から、音声データを取得し、所定フォーマットに従った符号化処理等を実行する。
【０１７３】
マルチプレクサ（ＭＵＸ）５１４は、字幕データ生成部５１１、画像データ生成部５１２、音声データ精々部５１３の生成した字幕、画像、音声各データを入力し、これらのデータを格納したデータファイル、例えば、トランスポートストリームファイル（ＴＳファイル）を生成する。
このデータファイルは、制御部５０３の制御の下、記録部５０６によって、ドライブ５０７を介して情報記録媒体５２０に出力され、記録される。
【０１７４】
なお、図の構成においては、データ生成部５０５の生成したデータを情報記録媒体５２０に記録する構成例として示しているが、例えば生成データを、データ出力部、あるいはネットワーク等の通信網を介して外部出力する構成としてもよい。
【０１７５】
ユーザ入力部５０２は、例えばデータ生成処理、記録処理、出力処理の開始要求等を入力する。
さらに、データの種類、具体的には、画像データがＳＤＲ画像、ＨＤＲ画像、いずれの画像であるか等の情報を入力する。
制御部５０１は、これらの入力情報に基づいて、生成データの態様を決定する。
具体的には、字幕データであるＳＭＰＴＥ−ＴＴ字幕データに記録する制御情報等の設定を決定する。
【０１７６】
画像がＨＤＲ画像である場合、字幕データもＨＤＲ画像と同様の輝度、色合いを出力可能な設定とする。
すなわち、字幕データ生成部５１１が先に図１４〜図１９を参照して説明したＳＭＰＴＥ−ＴＴ字幕データを生成し、符号化処理を行なう。
なお、画像がＳＤＲ画像である場合、字幕データもＳＤＲ画像と同様の輝度、色合いを出力可能な設定とする。
【０１７７】
なお、記録データの種類、具体的には、画像がＳＤＲ画像であるか、ＨＤＲ画像であるか等の情報について、ユーザ入力部５０２を介して入力する例を説明したが、これらの情報は、制御部５０３が、例えば、データ入力部５０１から入力する記録用データ５３１に併せて入力されるメタデータから取得する構成としてもよい。
あるいは、制御部５０３が、データ入力部５０１から入力する記録用データ５３１を解析して、画像種類情報を取得する構成としてもよい。
【０１７８】
次に、図２０に示す情報処理装置５００が実行する情報記録媒体５２０に対するデータ記録処理のシーケンスについて、図２１に示すフローチャートを参照して説明する。
【０１７９】
図２１に示すフローに従った処理は、例えば情報処理装置の記憶部に格納されたプログラムに従って、プログラム実行機能を有するＣＰＵを備えたデータ処理部（制御部）の制御の下で実行することができる。
以下、図２１のフローに示す各ステップの処理について、順次、説明する。
【０１８０】
（ステップＳ１０１）
まず、情報処理装置５００は、ステップＳ１０１において、データ入力部５０１を介して記録用データを入力する。
記録用データには画像データ、音声データ、字幕データ等が含まれる。
画像データは例えばＳＤＲ画像、ＨＤＲ画像等によって構成される。
【０１８１】
（ステップＳ１０２〜Ｓ１０３）
次に、ステップＳ１０２において、制御部３０３は、ユーザ入力部３０２から入力される画像タイプ情報を検出する。
すなわち、記録データの画像タイプが、ＨＤＲ，ＳＤＲのいずれを含むものであるかを検出する。
なお、前述したように画像タイプ情報は、メタデータから取得してもよいし、入力画像データを解析して取得する構成としてもよい。
画像データがＳＤＲ画像である場合、ステップＳ１０４に進む。
一方、画像データがＨＤＲ画像である場合、ステップＳ１０７に進む。
【０１８２】
（ステップＳ１０４）
ステップＳ１０４〜Ｓ１０６の処理は、画像データがＳＤＲ画像である場合に字幕データに対して実行する処理である。
画像データがＳＤＲ画像である場合、まず、ステップＳ１０４において、ＳＤＲ画像として出力可能な字幕データを生成する。
【０１８３】
（ステップＳ１０５）
次に、ステップＳ１０５において、ＳＤＲ字幕データと、制御情報を記録したＸＭＬデータ（ＳＭＰＴＥ−ＴＴ字幕データ）を生成する。
【０１８４】
（ステップＳ１０６）
次に、ステップＳ１０６において、ＳＤＲ画像データと、ＳＭＰＴＥ−ＴＴ字幕データを含むコンテンツを情報記録媒体に記録する。
【０１８５】
これらステップＳ１０４〜Ｓ１０６の処理によって、情報記録媒体に記録される画像データと、字幕データはいずれもＳＤＲ画像相当の輝度、色合いを持つ統一されたデータとなり、情報記録媒体からに再生される画像と字幕を重畳表示した場合に、輝度や色合いの差異が発生せず、視聴者は違和感なくコンテンツを視聴することができる。
【０１８６】
（ステップＳ１０７）
ステップＳ１０７〜Ｓ１０９の処理は、画像データがＨＤＲ画像である場合に字幕データに対して実行する処理である。
画像データがＨＤＲ画像である場合、まず、ステップＳ１０７において、ＨＤＲ画像として出力可能な字幕データを生成する。
【０１８７】
（ステップＳ１０８）
次に、ステップＳ１０８において、ＨＤＲ字幕データと、制御情報を記録したＸＭＬデータ（ＳＭＰＴＥ−ＴＴ字幕データ）を生成する。
このＸＭＬデータは、先に図１４〜図１９を参照して説明した制御情報を記録したＸＭＬデータである。
【０１８８】
具体的には、以下のいずれかのデータ構成例に対応する字幕データである。
（字幕データ構成例１）色空間指定情報、ＥＯＴＦ指定情報、および可変型の色深度指定情報を制御情報として記録した字幕データ構成例
（字幕データ構成例２）色空間指定情報、ＥＯＴＦ指定情報、および固定型の色深度指定情報を制御情報として記録した字幕データ構成例
（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例
【０１８９】
（ステップＳ１０９）
次に、ステップＳ１０９において、ＨＤＲ画像データと、ステップＳ１０７において生成したＳＭＰＴＥ−ＴＴ字幕データを含むコンテンツを情報記録媒体に記録する。
【０１９０】
これらステップＳ１０７〜Ｓ１０９の処理によって、情報記録媒体に記録される画像データと、字幕データはいずれもＨＤＲ画像相当の輝度、色合いを持つ統一されたデータとなり、情報記録媒体からに再生される画像と字幕を重畳表示した場合に、輝度や色合いの差異が発生せず、視聴者は違和感なくコンテンツを視聴することができる。
【０１９１】
［７．情報記録媒体からのデータ再生処理を実行する情報処理装置の構成と処理について］
次に、図２２、図２３を参照して情報記録媒体からのデータ再生処理を実行する情報処理装置の構成と処理について説明する。
【０１９２】
図２２は、ＢＤ等の情報記録媒体に記録されたデータの再生処理を実行する情報処理装置６００の構成を示す図である。
情報処理装置６００は、図２２に示す情報記録媒体（記録メディア）６１０に記録されたデータを読み取り、表示装置６２０に出力する。なお、表示装置６２０は、例えばテレビ等であり、ディスプレイ、スピーカ等を備えた表示装置である。
【０１９３】
情報記録媒体（記録メディア）６１０は、例えば、ディスクであり、画像、音声、字幕各データの多重化データや、再生制御情報等のデータベースファイルが記録されている。字幕データは、例えば、先に説明したＳＭＰＴＥ−ＴＴ字幕データである。
【０１９４】
制御部６０１は、例えば、ユーザ入力部６０２からの再生指示情報の入力に基づいて、情報記録媒体６１０の記録データを、記録再生部６０４、ドライブ６０３を介して読み取り、データバッファとしての記憶部６０５に格納し、その格納データを再生処理部６０６に出力する。
【０１９５】
また、制御部６０１は、入出力インタフェース６０７を介して表示装置６２０との通信を実行する。
【０１９６】
再生処理部６０６は、制御部６０１の制御の下、情報記録媒体６１０から読み出された再生データ、すなわち、画像、音声、字幕等の各データを取得して再生データを生成する。
【０１９７】
デマルチプレクサ（ＤｅＭＵＸ）６１１は、画像、音声、字幕等の各データの格納ファイルを含むパケットを取得し、データ種別のパケットに分類し、各パケットを、データ種類に応じて、字幕データデコード部６１２、画像データデコード部６１３、音声データデコード部６１４に出力する。
【０１９８】
字幕データ生成部６１２は、先に図１４〜図１９を参照して説明した制御情報を記録したＸＭＬデータを解析して、表示用の字幕データを生成する。
字幕データ生成部６１２が入力する字幕データは、具体的には、以下のいずれかのデータ構成例に対応する字幕データである。
（字幕データ構成例１）色空間指定情報、ＥＯＴＦ指定情報、および可変型の色深度指定情報を制御情報として記録した字幕データ構成例
（字幕データ構成例２）色空間指定情報、ＥＯＴＦ指定情報、および固定型の色深度指定情報を制御情報として記録した字幕データ構成例
（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例
字幕データ生成部６１２がＸＭＬデータの解析によって生成した表示用字幕データは、記憶部６１５に格納される。
【０１９９】
画像データデコード部６１３、音声データデコード部６１４は、パケットに格納されたデータの復号処理等を実行し、復号データを、それぞれ記憶部６１６，６１７に格納する。
【０２００】
記憶部６１５〜６１７に格納された字幕データ、画像データ、音声データは、制御部６０１の制御の下、入出力Ｉ／Ｆ６０７を介して表示装置６２０に出力される。
【０２０１】
次に、図２２に示す情報処理装置６００が実行する情報記録媒体６１０からのデータ再生処理のシーケンスについて、図２３に示すフローチャートを参照して説明する。
【０２０２】
図２３に示すフローに従った処理は、例えば情報処理装置６００の記憶部に格納されたプログラムに従って、プログラム実行機能を有するＣＰＵを備えたデータ処理部（制御部）の制御の下で実行することができる。
以下、図２３のフローに示す各ステップの処理について、順次、説明する。
【０２０３】
（ステップＳ２０１）
まず、情報処理装置６００は、ステップＳ２０１において、画像データ、音声データのデコード処理を実行する。
【０２０４】
この処理は、図２２に示す画像データデコード部６１３、音声データデコード部６１４の実行する処理である。
【０２０５】
（ステップＳ２０２〜Ｓ２０３）
次に、情報処理装置６００は、ステップＳ２０２において、ＸＭＬデータのＸＭＬデータを解析し、ステップＳ２０３において解析結果に基づいて表示用字幕データを生成する。
この処理は、図２２に示す字幕データデコード部６１２の実行する処理である。
【０２０６】
字幕データデコード部６１２は、先に図１４〜図１９を参照して説明した制御情報を記録したＸＭＬデータを解析して、表示用の字幕データを生成する。
字幕データ生成部６１２が入力する字幕データは、具体的には、以下のいずれかのデータ構成例に対応する字幕データである。
（字幕データ構成例１）色空間指定情報、ＥＯＴＦ指定情報、および可変型の色深度指定情報を制御情報として記録した字幕データ構成例
（字幕データ構成例２）色空間指定情報、ＥＯＴＦ指定情報、および固定型の色深度指定情報を制御情報として記録した字幕データ構成例
（字幕データ構成例３）ＵＨＤ（超高精細画像：Ｕｌｔｒａ  Ｈｉｇｈ  Ｄｅｆｉｎｉｔｉｏｎ画像）定義情報を制御情報として記録した字幕データ構成例
【０２０７】
字幕データ生成部６１２は、ステップＳ２０２において、ＸＭＬデータを解析し、表示用字幕データを生成して記憶部６１５に格納する。
なお、字幕データ生成部６１２は、画像データがＨＤＲ画像である場合、ＨＤＲ画像と動揺の輝度、色合いを有するＨＤＲ字幕データを生成する。
これは、先に図１４〜図１９を参照して説明した制御情報を記録したＸＭＬデータを用いた字幕データ生成処理によって可能となる。
【０２０８】
（ステップＳ２０４）
次に、ステップＳ２０４において、画像データを表示装置に出力して表示するとともに、ステップＳ２０２〜Ｓ２０３の処理において生成した表示用字幕データを画像に重畳して表示する。
【０２０９】
この画像と字幕の重畳表示処理において、表示画像がＳＤＲ画像であれば、字幕データもＳＤＲ画像相当の輝度、色合いを持つ字幕データとなり、表示画像がＨＤＲ画像であれば、字幕データもＨＤＲ画像相当の輝度、色合いを持つ字幕データとなる。
すなわち、画像データと、字幕データはいずれも同一の輝度、色合いを持つ統一されたデータとなり、情報記録媒体から再生される画像と字幕を重畳表示した場合に、輝度や色合いの差異が発生せず、視聴者は違和感なくコンテンツを視聴することができる。
【０２１０】
［８．情報処理装置の構成例について］
次に、コンテンツ再生処理を実行する情報処理装置、ディスク等の情報記録媒体に対する記録コンテンツを生成する装置や、コンテンツを記録する記録装置、あるいは情報記録媒体製造装置として適用可能な情報処理装置のハードウェア構成例について、図２３を参照して説明する。
【０２１１】
ＣＰＵ（Ｃｅｎｔｒａｌ  Ｐｒｏｃｅｓｓｉｎｇ  Ｕｎｉｔ）７０１は、ＲＯＭ（Ｒｅａｄ  Ｏｎｌｙ  Ｍｅｍｏｒｙ）７０２、または記憶部７０８に記憶されているプログラムに従って各種の処理を実行するデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）７０３には、ＣＰＵ７０１が実行するプログラムやデータなどが記憶される。これらのＣＰＵ７０１、ＲＯＭ７０２、およびＲＡＭ７０３は、バス７０４により相互に接続されている。
【０２１２】
ＣＰＵ７０１はバス７０４を介して入出力インタフェース７０５に接続され、入出力インタフェース７０５には、各種スイッチ、キーボード、マウス、マイクロホンなどよりなる入力部７０６、ディスプレイ、スピーカなどよりなる出力部７０７が接続されている。ＣＰＵ７０１は、入力部７０６から入力される指令に対応して各種の処理を実行し、処理結果を例えば出力部７０７に出力する。
【０２１３】
入出力インタフェース７０５に接続されている記憶部７０８は、例えばハードディスク等からなり、ＣＰＵ７０１が実行するプログラムや各種のデータを記憶する。通信部７０９は、インターネットやローカルエリアネットワークなどのネットワークを介したデータ通信の送受信部、さらに放送波の送受信部として機能し、外部の装置と通信する。
【０２１４】
入出力インタフェース７０５に接続されているドライブ７１０は、磁気ディスク、光ディスク、光磁気ディスク、あるいはメモリカード等の半導体メモリなどのリムーバブルメディア７１１を駆動し、データの記録あるいは読み取りを実行する。
【０２１５】
［９．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２１６】
なお、本明細書において開示した技術は、以下のような構成をとることができる。
（１）  データ再生処理を実行するデータ処理部を有し、
前記データ処理部は、
再生対象データに含まれる字幕データの再生制御情報をデコードするデコード部を有し、
前記デコード部は、
字幕データ再生制御情報に記録された色空間指定情報と、ＥＯＴＦ（電光変換関数）指定情報と、色深度指定情報を取得し、
取得情報に従って、出力用字幕データを生成する情報処理装置。
【０２１７】
（２）  前記デコード部は、
字幕データ再生制御情報に記録された色空間指定情報が、
ＨＤＲ（Ｈｉｇｈ  Ｄｙｎａｍｉｃ  Ｒａｎｇｅ）画像に適用される色空間指定情報である場合、
前記字幕データ再生制御情報に従って取得される字幕データをＨＤＲ画像相当の色空間に従って生成された字幕データであると判断し、ＨＤＲ字幕データの出力処理を実行する（１）に記載の情報処理装置。
【０２１８】
（３）  前記デコード部は、
字幕データ再生制御情報に記録された色空間指定情報が、
ＨＤＲ（Ｈｉｇｈ  Ｄｙｎａｍｉｃ  Ｒａｎｇｅ）画像に適用される色空間指定情報であるＢＴ．２０２０色空間である場合、
前記字幕データ再生制御情報に従って取得される字幕データをＨＤＲ画像相当の色空間であるＢＴ．２０２０色空間に従って生成された字幕データであると判断し、ＨＤＲ字幕データの出力処理を実行する（１）または（２）に記載の情報処理装置。
【０２１９】
（４）  前記デコード部は、
字幕データ再生制御情報に記録されたＥＯＴＦ（電光変換関数）指定情報が、
ＨＤＲ画像に適用されるＥＯＴＦ（電光変換関数）指定情報である場合、
前記字幕データ再生制御情報に従って取得される字幕データに対して、ＨＤＲ用のＥＯＴＦ（電光変換関数）を適用して出力字幕データを生成する（１）〜（３）いずれかに記載の情報処理装置。
【０２２０】
（５）  前記デコード部は、
字幕データ再生制御情報に記録されたＥＯＴＦ（電光変換関数）指定情報が、
ＨＤＲ画像に適用されるＥＯＴＦ（電光変換関数）指定情報であるＳＭＰＴＥ  ＳＴ  ２０８４である場合、
前記字幕データ再生制御情報に従って取得される字幕データに対して、ＨＤＲ用のＥＯＴＦ（電光変換関数）であるＳＭＰＴＥ  ＳＴ  ２０８４を適用して出力字幕データを生成する（１）〜（４）いずれかに記載の情報処理装置。
【０２２１】
（６）  前記デコード部は、
字幕データ再生制御情報に記録された色深度指定情報が、
ＨＤＲ画像に適用される色深度指定情報である場合、
前記字幕データ再生制御情報に従って取得される字幕データに対応して記録されたビット値を、ＨＤＲ画像相当のビット値であると判断し、ＨＤＲ字幕データの出力処理を実行する（１）〜（５）いずれかに記載の情報処理装置。
【０２２２】
（７）  前記デコード部は、
字幕データ再生制御情報に記録された色深度指定情報が、
ＨＤＲ画像に適用される色深度指定情報である１０ビットまたは１２ビットを示す情報である場合、
前記字幕データ再生制御情報に従って取得される字幕データに対応して記録されたビット値を、１０ビットまたは１２ビット表現のＨＤＲ画像相当のビット値であると判断し、ＨＤＲ字幕データの出力処理を実行する（１）〜（６）いずれかに記載の情報処理装置。
【０２２３】
（８）  データ再生処理を実行するデータ処理部を有し、
前記データ処理部は、
再生対象データに含まれる字幕データの再生制御情報をデコードするデコード部を有し、
前記デコード部は、
字幕データ再生制御情報に字幕データが、超高精細画像相当のＵＨＤ（Ｕｌｔｒａ  Ｈｉｇｈ  Ｄｅｆｉｎｉｔｉｏｎ）字幕データであることを示すＵＨＤ定義情報の記述があるか否かを判定し、
ＵＨＤ定義情報の記述がある場合、
前記字幕データ再生制御情報に従って取得される字幕データがＨＤＲ画像相当の字幕データであると判定し、ＨＤＲ字幕データの出力処理を実行する情報処理装置。
【０２２４】
（９）  前記デコード部は、
前記ＵＨＤ定義情報として記録されたＨＤＲ（Ｈｉｇｈ  Ｄｙｎａｍｉｃ  Ｒａｎｇｅ）タイプ情報を取得し、
ＨＤＲタイプに応じて予め規定された色空間、電光変換関数（ＥＯＴＦ）、色深度二従った出力字幕データ生成処理を実行する（８）に記載の情報処理装置。
【０２２５】
（１０）  字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理装置。
【０２２６】
（１１）  前記データ処理部は、
字幕データの色空間と、字幕データ出力に適用するＥＯＴＦ（電光変換関数）と、字幕データのビット値表現態様を示す色深度が、
ＨＤＲ（Ｈｉｇｈ  Ｄｙｎａｍｉｃ  Ｒａｎｇｅ）画像対応の情報であるか、
ＳＤＲ（Ｓｔａｎｄａｒｄ  Ｄｙｎａｍｉｃ  Ｒａｎｇｅ）画像対応の情報であるか、
いずれの画像対応の情報であるかを区別可能とした情報を記録した字幕データを生成する（１０）に記載の情報処理装置。
【０２２７】
（１２）  画像データと、
字幕再生制御情報を含む字幕データを記録した情報記録媒体であり、
前記字幕再生制御情報は、
字幕データの属性情報として、字幕データの色空間と、字幕データ出力に適用するＥＯＴＦ（電光変換関数）と、字幕データのビット値表現態様を示す色深度を判別可能とした情報を含み、
情報記録媒体からのデータ再生を実行する再生装置が、字幕データ再生制御情報として記録された色空間指定情報と、ＥＯＴＦ（電光変換関数）指定情報と、色深度指定情報を取得し、取得情報に従って、出力用字幕データを生成することを可能とした情報記録媒体。
【０２２８】
（１３）前記字幕再生制御情報は、
字幕データの色空間と、字幕データ出力に適用するＥＯＴＦ（電光変換関数）と、字幕データのビット値表現態様を示す色深度が、
ＨＤＲ（Ｈｉｇｈ  Ｄｙｎａｍｉｃ  Ｒａｎｇｅ）画像対応の情報であるか、
ＳＤＲ（Ｓｔａｎｄａｒｄ  Ｄｙｎａｍｉｃ  Ｒａｎｇｅ）画像対応の情報であるか、
いずれの画像対応の情報であるかを区別可能とした情報である（１２）に記載の情報記録媒体。
【０２２９】
（１４）  情報処理装置において実行する情報処理方法であり、
前記情報処理装置は、データ再生処理を実行するデータ処理部を有し、
前記データ処理部は、
再生対象データに含まれる字幕データの再生制御情報をデコードし、
字幕データ再生制御情報に記録された色空間指定情報と、ＥＯＴＦ（電光変換関数）指定情報と、色深度指定情報を取得し、
取得情報に従って、出力用字幕データを生成する情報処理方法。
【０２３０】
（１５）  情報処理装置において実行する情報処理方法であり、
前記情報処理装置は、字幕再生制御情報を含む字幕データ生成処理を実行するデータ処理部を有し、
前記データ処理部は、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成する情報処理方法。
【０２３１】
（１６）  情報処理装置において情報処理を実行させるプログラムであり、
前記情報処理装置は、データ再生処理を実行するデータ処理部を有し、
前記プログラムは、前記データ処理部に、
再生対象データに含まれる字幕データの再生制御情報をデコードする処理と、
字幕データ再生制御情報に記録された色空間指定情報と、ＥＯＴＦ（電光変換関数）指定情報と、色深度指定情報を取得する処理と、
取得情報に従って、出力用字幕データを生成する処理を実行させるプログラム。
【０２３２】
（１７）  情報処理装置において情報処理を実行させるプログラムであり、
前記情報処理装置は、字幕再生制御情報を含む字幕データ生成処理を実行するデータ処理部を有し、
前記プログラムは、前記データ処理部に、
字幕データの属性情報として、字幕データの色空間と、字幕データ出力に適用するＥＯＴＦ（電光変換関数）と、字幕データのビット値表現態様を示す色深度を判別可能とした情報を記録した字幕データを生成させるプログラム。
【０２３３】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２３４】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２３５】
以上、説明したように、本開示の一実施例の構成によれば、ＨＤＲ画像に相当する特性の字幕データ出力が実現される。
具体的には、再生対象データに含まれる字幕データの再生制御情報をデコードするデコード部を有し、デコード部は、字幕データ再生制御情報に記録された色空間指定情報と、ＥＯＴＦ（電光変換関数）指定情報と、色深度指定情報を取得し、取得情報に従って、出力用字幕データを生成する。デコード部は、字幕データ再生制御情報に記録された情報が、ＨＤＲ画像に適用される色空間、ＥＯＴＦ、色深度等である場合、字幕データ再生制御情報に従って取得される字幕データをＨＤＲ画像相当の色空間に従って生成された字幕データであると判断し、ＨＤＲ字幕データの出力処理を実行する。
本構成により、ＨＤＲ画像に相当する特性の字幕データ出力が実現される。
【符号の説明】
【０２３６】
１０１・・撮影部、１０２・・グレーディング・マスタリング部、１０３・・光電変換部、１０４・・符号化部、１０５・・記録部、１２０・・記録メディア、１５１・・復号部、１５２・・電光変換部、１５３・・表示信号生成部、１５４・・表示部、２０１・・制御部、２０２・・受信部、２０３・・画像処理部、２０４・・デコーダ、２０５・・記憶部、２０６・・字幕処理部、２０７・・デコーダ、２０８・・記憶部、２０９・・表示部、２１１・・メインコンテンツ画像データ、２１２・・ＳＭＰＴＥ−ＴＴ字幕データ、２５１・・ＨＤＲ画像、２５２・・ＳＤＲ字幕、３００・・情報処理装置、３０１・・制御部、３０２・・データ入力部、３０３・・画像処理部、３０４・・デコーダ、３０５・・記憶部、３０６・・字幕処理部、３０７・・デコーダ、３０８・・記憶部、３１１・・画像データ、３１２・・字幕データ、３２１・・ＨＤＲ画像出力データ、３２２・・ＨＤＲ字幕出力データ、３５１・・ネットワーク、３５２・・情報記録媒体、３７０・・表示装置、４１１・・色空間指定情報、４１２・・ＥＯＴＦ指定情報、４１３・・色深度指定情報、４１４・・色情報、４１５・・テキスト字幕データ、４２１・・色深度指定情報、４２２・・色情報、５００・・情報処理装置、５０１・・データ入力部、５０２・・ユーザ入力部、５０３・・制御部、５０４・・記憶部、５０５・・データ生成部、５０６・・記録部、５０７・・ドライブ、５１１・・字幕データ生成部、５１２・・画像データ生成部、５１３・・音声データ生成部、５１４・・マルチプレクサ、５２０・・情報記録媒体、６００・・情報処理装置、６０１・・制御部、６０２・・ユーザ入力部、６０３・・ドライブ、６０４・・記録再生部、６０５・・再生処理部、６０７・・入出力Ｉ／Ｆ、６１１・・デマルチプレクサ、６１２・・字幕データデコード部、６１３・・画像データデコード部、６１４・・音声データデコード部、６１５〜６１７・・記憶部、６２０・・表示装置、７０１・・ＣＰＵ、７０２・・ＲＯＭ、７０３・・ＲＡＭ、７０４・・バス、７０５・・入出力インタフェース、７０６・・入力部、７０７・・出力部、７０８・・記憶部、７０９・・通信部、７１０・・ドライブ、７１１・・リムーバブルメディア
【図１】
2017169075.tif 000003
【図２】
2017169075.tif 000004
【図３】
2017169075.tif 000005
【図４】
2017169075.tif 000006
【図５】
2017169075.tif 000007
【図６】
2017169075.tif 000008
【図７】
2017169075.tif 000009
【図８】
2017169075.tif 000010
【図９】
2017169075.tif 000011
【図１０】
2017169075.tif 000012
【図１１】
2017169075.tif 000013
【図１２】
2017169075.tif 000014
【図１３】
2017169075.tif 000015
【図１４】
2017169075.tif 000016
【図１５】
2017169075.tif 000017
【図１６】
2017169075.tif 000018
【図１７】
2017169075.tif 000019
【図１８】
2017169075.tif 000020
【図１９】
2017169075.tif 000021
【図２０】
2017169075.tif 000022
【図２１】
2017169075.tif 000023
【図２２】
2017169075.tif 000024
【図２３】
2017169075.tif 000025
【図２４】
2017169075.tif 000026